(57)【特許請求の範囲】
【請求項１】
試験試料の分析結果データを入力する作用を有する入力手段と、
少なくともひとつの分析実行処理方法を実行するための分析方法データを含む分析方法データ部と、少なくともひとつの分析器具をモデリングするための器具データを含む器具データ部と、複数の分析報告フォームのうち所望のものを提供するためのフォームデータを含むフォームデータ部とを含むデータベースと、
前記入力手段から前記試験試料の分析結果データの入力を受けるとともに、前記データベースから前記分析方法データ、前記器具データおよび前記フォームデータの入力を受ける作用を有し、前記分析結果データおよび前記器具データを前記分析方法データを用いて処理する作用を有するとともに、前記分析報告フォームのうち所望のものの上に作成された、前記少なくともひとつの分析実行処理方法および前記少なくともひとつの分析器具に基づく最終分析結果を表す分析報告書を生成する作用を有するプロセッサと
を有する、コンピュータに実装された、廃棄物の分析、検査および報告システムであって、
前記システムは、
ソフトウェアプログラムのメインメニューに、前記少なくともひとつの分析実行処理方法を提示し、ユーザに、所望または所定の分析実行処理方法を選択させるための方法選択手段と、
前記ユーザにより選択された所望または所定の分析実行処理方法のために利用可能な器具データを、前記データベースの器具データ部で検索する検索手段と、
前記検索手段で少なくとも一つの分析器具に対応する器具データが取得された場合に、前記入力手段を介して、その少なくとも一つの分析器具による前記試験試料の分析結果データをアップロードするアップロード手段と
前記分析結果データを前記ユーザに検査させる検査手段と
を有し、
前記検査手段は、
前記分析結果データに対する関連付けリストを前記ユーザに構築させる関連付けリスト構築手段と、
前記関連付けリストに基づき前記分析結果データを処理する処理手段と、
を有することを特徴とするシステム。
【請求項２】
前記アップロード手段は、
前記検索手段で器具データが取得された少なくとも一つの分析器具を提示して、そこから少なくとも一つの分析器具を前記ユーザに選択させる器具選択手段
を含む、請求項１に記載のシステム。
【請求項３】
前記検索手段で利用可能な器具データが取得されなかった場合に、前記分析実行処理方法のための情報を、前記ユーザに前記入力手段を介して手作業で入力させるマニュアル入力手段をさらに有する請求項１に記載のシステム。
【請求項４】
前記マニュアル入力手段は、
前記分析実行処理方法のための情報に基づき分析実行処理を構築する分析実行処理構築手段と、
前記試験試料に関する情報を前記ユーザに入力させてロードし、分析結果データを生成する試料情報ロード手段と
を有する、請求項３に記載のシステム。
【請求項５】
前記検査手段は、
検査テーブルを構築して前記ユーザに提示する検査テーブル構築手段
をさらに有する、請求項１ないし４のいずれかに記載のシステム。
【請求項６】
前記関連付けリスト構築手段は、
前記アップロードされた分析結果データに対するデフォルトリストを前記ユーザに提示して、その提示されたリストから所望又は所定のリストを前記ユーザに選択させる関連付けリスト選択手段を有する、請求項１ないし５のいずれかに記載のシステム。
【請求項７】
前記検査テーブルから前記ユーザに所望の分析実行処理を選択させる分析実行処理選択手段をさらに有し、
前記選択された分析実行処理から直接前記分析報告書を生成することを特徴とする請求項５に記載のシステム。
【請求項８】
前記分析結果を報告するための利用可能な処理のメニューを前記ユーザに提示してそのメニューから少なくとも一つの処理を選択させる予備情報選択手段と、
各分析で報告する試験試料を前記ユーザに提示して選択させる検体選択手段と、
前記予備情報選択手段および検体選択手段における前記ユーザの選択結果に基づき、前記分析結果データを、前記ユーザに提示して編集させる編集手段と、
前記データベースのフォームデータ部に含まれるフォームデータを前記ユーザに提示してそこから所望又は所定のフォームデータを選択させる報告モジュール選択手段と、
をさらに有する請求項１ないし７のいずれかに記載のシステム。
【請求項９】
前記編集手段により編集された結果を再計算する再計算手段をさらに有する請求項８に記載のシステム。
【請求項１０】
前記メインメニューに提示される少なくとも一つの分析実行処理方法は、金属、一般化学品、揮発性有機化学品、半揮発性化学品、殺虫剤、除草剤、および、爆薬から生成する元素および化合物を対象とする方法を含む、請求項１ないし９のいずれかに記載のシステム。
【請求項１１】
ソフトウェアプログラムのメインメニューに少なくとも一つの分析実行処理方法を提示し、ユーザに、所望または所定の分析実行処理方法を選択させる方法選択ステップと、
前記ユーザにより選択された所望または所定の分析実行処理方法のために利用可能な器具データを検索する検索ステップと、
前記検索ステップで少なくとも一つの分析器具に対応する器具データが取得された場合に、その少なくとも一つの分析器具による試験試料の分析結果データをアップロードするアップロードステップと、
前記分析結果データを前記ユーザに検査させる検査ステップと
を有するコンピュータにより実行可能な、廃棄物の分析実行処理を設定および構築する方法であって、
前記検査ステップは、
前記分析結果データに対する関連づけリストを前記ユーザに構築させる関連づけリスト構築ステップと、
前記関連づけリストに基づき前記分析結果データを処理する処理ステップと、
を有する
ことを特徴とする方法。
【請求項１２】
前記アップロードステップは、
前記検索ステップで器具データが取得された少なくとも一つの分析器具を提示して、そこから少なくとも一つの分析器具を前記ユーザに選択させる器具選択ステップ
を含む、請求項１１に記載の方法。
【請求項１３】
前記検索ステップで利用可能な器具データが取得されなかった場合に、前記分析実行処理方法のための情報を、前記ユーザに手作業で入力させるマニュアル入力ステップをさらに有する請求項１１に記載の方法。
【請求項１４】
前記マニュアル入力ステップは、
前記分析実行処理方法のための情報に基づき分析実行処理を構築する分析実行処理構築ステップと、
前記試験試料に関する情報を前記ユーザに入力させてロードし、分析結果データを生成する試料情報ロードステップと
を有する、請求項１３に記載の方法。
【請求項１５】
前記検査ステップは、
検査テーブルを構築して前記ユーザに提示する検査テーブル構築ステップ
をさらに有する、請求項１１ないし１４のいずれかに記載の方法。
【請求項１６】
前記関連づけリスト構築ステップは、
前記アップロードされた分析結果データに対するデフォルトリストを前記ユーザに提示して、その提示されたリストから所望または所定のリストを前記ユーザに選択させる関連づけリスト選択ステップを有する、請求項１１ないし１５のいずれかに記載の方法。
【請求項１７】
前記検査テーブルから前記ユーザに所望の分析実行処理を選択させる分析実行処理選択ステップをさらに有し、
前記選択された分析実行処理から直接前記分析報告書を生成することを特徴とする請求項１５に記載の方法。
【請求項１８】
前記メインメニューに提示される少なくとも一つの分析実行処理方法は、金属、一般化学品、揮発性有機化学品、半揮発性化学品、殺虫剤、除草剤、および、爆薬から生成する元素および化合物を対象とする方法を含む、請求項１１ないし１７のいずれかに記載の方法。
【請求項１９】
分析結果報告のための利用可能な処理のメニューをユーザに提示してそのメニューから少なくとも一つの処理を選択させる予備情報選択ステップと、
各分析で報告する試験試料を前記ユーザに提示して選択させる検体選択ステップと、
前記予備情報選択ステップおよび検体選択ステップにおける前記ユーザの選択結果に基づき、分析結果を、前記ユーザに提示して編集させる編集ステップと、
報告フォームデータを前記ユーザに提示してそこから所望または所定の報告フォームデータを選択させる報告モジュール選択ステップと、
をさらに有する請求項１１ないし１８のいずれかに記載の方法。
【請求項２０】
前記編集された結果を再計算する再計算ステップをさらに有する請求項１９に記載の方法。
【請求項２１】
コンピュータに請求項１１ないし２０のいずれかに記載の方法を実行させるプログラム命令を含むコンピュータ可読媒体。
【発明の詳細な説明】
【０００１】
本願は、２０００年８月３０日出願の仮出願第６０／２２９，５５３号から変更した通常出願であるところの２００１年８月３０日出願の出願第０９／９４２，１１９号の継続出願であり、両出願の内容は、すべての目的のために、引用によって本願中に組み込まれるものとする。出願人は、これにより、前記親出願および前記仮出願の優先権を主張する。
【０００２】
【発明の属する技術分野】
本発明は、物質分析検査および報告システムに関する。より詳細には、本発明は、コンピュータに実装された物質分析検査および報告システムに関する。
【０００３】
【従来の技術】
会社や政府経営施設は、その多くが、操業の結果、環境に有害な影響を与える可能性を有する廃棄物を生成する。連邦政府、州政府および地方自治体は、環境を汚染から守るため、前記のような廃棄物を規制する法律や法令を可決している。その結果、前述の会社や政府経営施設は、頻繁に廃棄物の分析検査を行い、その結果を政府の所轄官庁に報告しなければならない。しかし、多様な政府の所轄官庁に報告する標準的なやり方は存在しない。
【０００４】
【課題を解決するための手段】
発明の要約
以下、コンピュータに実装された分析、検査および報告システムについて説明する。本発明のコンピュータに実装された分析、検査および報告システムは、入力装置と、データベースと、プロセッサを有する。前記入力装置は、試料の分析結果データを入力する作用を有する。前記データベースは分析方法データ部と、器具データ部と、フォームデータ部を有する。前記分析方法データ部は、少なくともひとつの分析実行処理方法を実行する方法データを有する。前記器具データ部は、少なくともひとつの分析器具をモデリングする器具データを有する。前記フォームデータ部は、複数の分析報告フォームのうち所望のものを提供するフォームデータを有する。
【０００５】
前記プロセッサは、前記入力装置から前記試料の分析結果データの入力を受ける作用を有する。また、前記プロセッサは、前記データベースから、前記少なくともひとつの分析実行処理方法の分析方法データ、前記少なくともひとつの分析器具の器具データおよび前記所望の分析報告フォームのフォームデータの入力を受ける作用を有する。さらに、前記プロセッサは、前記分析結果データおよび器具データを、前記分析方法データを用いて処理する作用を有するとともに、前記分析報告フォームのうち所望のものの上に作成された、前記少なくともひとつの分析実行処理方法および前記少なくともひとつの分析器具に基づく最終分析結果を表す分析報告を生成する作用を有する。
【０００６】
【発明の実施の形態】
本発明の利点は、添付図面と関連付けてなされる以下の典型的な実施態様の説明により明らかとなるであろう。なお、図面において、同じ符号は同じ要素を示すものとする。
【０００７】
典型的な実施態様の詳細な説明
図１に示すように、本発明のコンピュータに実装された分析、検査および報告システム１０は、入力装置１２と、データベース１４と、プロセッサ１６と、出力装置１８を有する。本発明のコンピュータに実装された分析および報告システム１０は、試料の分析と該分析結果の報告を行うために使用される。前記入力装置１２は、前記試料の分析結果データを入力する作用を有する。熟練技術者であれば、前記試料の分析結果データは従来のコンピュータモニタおよびキーボードによって入力することができることが理解されよう。代替的に、熟練技術者であれば、該分析結果データが分析器具それ自身、たとえば、ｐＨ計などによって提供されるものとすることも可能であることが理解されよう。
【０００８】
前記データベース１４は、分析方法データ部１４ａと、器具データ部１４ｂと、フォームデータ部１４ｃを有する。前記分析方法データ部１４ａは、少なくともひとつの分析実行処理方法を実行するための分析方法データを含む。前記器具データ部１４ｂは、少なくともひとつの分析器具をモデリングするための器具データを含む。前記フォームデータ部１４ｃは複数の分析報告フォームのうち所望のものを提供するためのフォームデータを含む。
【０００９】
前記プロセッサ１６は、前記入力装置１２から前記試料の分析結果データの入力を受ける作用を有するとともに、前記データベース１４から、前記少なくともひとつの分析実行処理方法の分析方法データと、前記少なくともひとつの分析器具の器具データと、前記所望の分析報告フォームのフォームデータの入力を受ける作用を有する。また、該プロセッサ１６は、前記分析結果データおよび前記器具データを、前記分析方法データを用いて処理する作用を有する。さらに、該プロセッサ１６は、前記分析報告フォームのうちの所望のものの上に作成された分析報告書を生成する作用を有する。前記分析報告フォームのうち所望のものは、前記出力装置１８により生成する。図１に示すように、前記分析報告フォームはモニタ上に表示することができ、プリンタから印刷することもできる。また、熟練技術者であれば、該報告書が、電子的にディスク上ないしデータベース中に記憶することができることも理解されよう。どちらの場合も、前記分析報告フォームは、前記少なくともひとつの分析実行処理方法および前記少なくともひとつの分析器具に基づく前記最終分析結果を表示する。
【００１０】
前記分析、検査および報告システム１０の他の要素、特に、本システム１０のソフトウェアモジュールについて、添付文献「金属分析検査及び報告システム−操作手順  Version 4.0」に例示されている実施形態を参照しつつ、説明する。
【００１１】
添付文献「ＥＩＳＣの分析検査及び報告スイート、無機及び有機実験生産のためのソフトウェア（EISC’s Analytical Review and Reporting Suite, Software for Inorganic and Organic Laboratory Production）」に記載されているように、本実施形態にかかる分析、検査および報告システム１０は、金属、一般化学品、揮発性有機化学品、半揮発性化学品、殺虫剤、除草剤、および、爆薬から生成する元素および化合物を対象とする分析に適用することができる。
【００１２】
本実施形態に係る分析、検査および報告システム１０は、ソフトウェアプログラムのメインメニューに、前記少なくともひとつの分析実行処理方法を提示し、ユーザに、所望または所定の分析実行処理方法を選択させるための方法選択手段（請求項１）として、［Analytical Method List］（分析方法リスト）を有する。［Analytical Method List］には、例えば、前記添付文献「金属分析検査及び報告システム−操作手順  Version 4.0」の第１頁に図示するように、Cyanide（シアン化物）やMercury（水銀）のための方法が提示される。
【００１３】
また、本実施形態に係る分析、検査および報告システム１０は、前記ユーザにより選択された所望または所定の分析実行処理方法のために利用可能な器具データを、前記データベース１４の器具データ部１４ｂで検索する検索手段（請求項１）を有し、前記検索手段で少なくとも一つの分析器具に対応する器具データが取得された場合に、前記入力装置１２を介して、その少なくとも一つの分析器具による前記試験試料の分析結果データをアップロードするアップロード手段（請求項１）および前記分析結果データを検査するための検査テーブルを構築して前記ユーザに提示する検査手段（請求項１）として、「分析結果アップロード及び検査」メニューが用意されている。
【００１４】
本実施形態では、前記検索手段による検索結果は、「分析結果アップロード及び検査」メニューの［Select Instrument Files］（器具ファイル選択）フォルダの［Directory and File Listing］（ディレクトリ及びファイルリスト）にリストアップされ、ユーザが、そこにリストアップされた器具ファイルを選択して［Begin Upload］（アップロード開始）フォルダでアップロードを実行できるよう構成されている。これが、請求項２の「器具選択手段」に相当する。
【００１５】
また、本実施形態では、前記検索手段で利用可能な器具データが取得されなかった場合には、選択前記分析実行処理方法のための情報を、前記ユーザに前記入力手段を介して手作業で入力させるマニュアル入力手段（請求項３）として、「マニュアル入力及び検査」メニューが用意されている。
【００１６】
また、本実施形態に係る分析、検査および報告システム１０は、前記分析結果データを検査するための検査テーブルを構築して前記ユーザに提示する検査手段を有し、具体的には、前記分析結果データに対する関連付けリストを前記ユーザに構築させる関連付けリスト構築手段（請求項１）としての［Associate Lists］（リスト関連付け）フォルダと前記関連付けリストに基づき前記分析結果データを処理する処理手段（請求項１）としての［Process Results］（結果処理）フォルダとが提供されている。さらに、前記検査手段には、検査テーブルを構築して前記ユーザに提示する検査テーブル構築手段（請求項５）としての［Build Review Tables］（検査テーブル構築）フォルダが提供されている。
【００１７】
また、前記マニュアル入力手段（請求項３）としての「マニュアル入力及び検査」メニューには、前記分析実行処理方法のための情報に基づき分析実行処理を構築する分析実行処理構築手段としての［Build Analytical Run］（分析実行処理構築）フォルダと、前記試験試料に関する情報を前記ユーザに入力させてロードし、分析結果データを生成する試料情報ロード手段としての［Enter Concentrations］フォルダが提供されている（請求項４）。
【００１８】
前記関連付けリスト構築手段としての［Associate Lists］（リスト関連付け）フォルダは、「報告リスト」「ＱＣ規準リスト」「真値リスト」等さまざまなリストの選択ボタンがデフォルトリストとしてユーザに提示されており選択可能となっている。すなわち、前記アップロードされた分析結果データに対するデフォルトリストを前記ユーザに提示して、その提示されたリストから所望又は所定のリストを前記ユーザに選択させる関連付けリスト選択手段（請求項６）が提供されている。
【００１９】
また、本実施形態に係る分析、検査および報告システム１０は、前記検査テーブルから前記ユーザに所望の分析実行処理を選択させる分析実行処理選択手段としての［Review Results］（結果検査）フォルダが提供されており、前記選択された分析実行処理から直接前記分析報告書を生成することができるよう構成されている（請求項７）。
【００２０】
本実施形態に係る分析、検査および報告システム１０は、前記分析結果を報告するための利用可能な処理のメニューを前記ユーザに提示してそのメニューから少なくとも一つの処理を選択させる予備情報選択手段としての［Prep Information］（予備情報）フォルダと、各分析で報告する試験試料を前記ユーザに提示して選択させる検体選択手段としての［Select/De-Select Elements］（成分の選択／解除）フォルダと、前記予備情報選択手段および検体選択手段における前記ユーザの選択結果に基づき、前記分析結果データを、前記ユーザに提示して編集させる編集手段としての［Edit Results］（結果編集）フォルダと、前記データベースのフォームデータ部に含まれるフォームデータを前記ユーザに提示してそこから所望又は所定のフォームデータを選択させる報告モジュール選択手段としての［Report(s)］（報告）フォルダと、をさらに有する（請求項８）。
【００２１】
さらに、前記編集手段としての［Edit Results］（結果編集）フォルダには、前記編集手段により編集された結果を再計算する再計算手段（請求項９）としての［Re-Calc］（再計算）ボタンが提供されている。
【００２２】
試験試料分析の実行処理を設定し構築する方法の実施形態について、図２を参照して説明する。図２は、本発明の一実施形態としての試験試料分析の実行処理を設定し構築する方法（以下、プロセス１００と略称する）を示すフローチャートである。本実施形態を金属分析検査及び報告システムに適用した例が、本願明細書の一部を構成する添付文献「金属分析検査及び報告システム−操作手順  Version 4.0」に記載されている。
【００２３】
プロセス１００をスタートすると、まず、ソフトウェアプログラムのメインメニューに少なくとも一つの分析実行処理方法を提示し、ユーザに、所望または所定の分析実行処理方法を選択させる（方法選択ステップ１０１）。
【００２４】
次に、プロセス１００は、アップロードファイルが利用可能か否かを分析する。すなわち、前記ユーザにより選択された所望または所定の分析実行処理方法のために利用可能な器具データを検索する（検索ステップ１１０）。
【００２５】
前記検索ステップ１１０で少なくとも一つの分析器具に対応する器具データが取得されると（ステップ１１０でＹｅｓ）、プロセス１００は、その少なくとも一つの分析器具による前記試験試料の分析結果データをアップロードするアップロードステップ１１２に進む。前記アップロードステップ１１２では、前記検索ステップで器具データが取得された少なくとも一つの分析器具を提示して、そこから少なくとも一つの分析器具を前記ユーザに選択させて（器具選択ステップ１１４）、選択されたファイルをアップロードする（ステップ１１６）。
【００２６】
ステップ１１６でアップロードされたファイルは、そのデータまたは実行ログを、報告書として印刷することができるよう構成されている。
【００２７】
一方、前記検索ステップ１１０で利用可能な器具データが取得されなかった場合（ステップ１１０でＮｏ）には、プロセス１００は、前記分析実行処理方法のための情報を、前記ユーザに手作業で入力させるマニュアル登録ステップ１１３に進む。このマニュアル登録ステップ１１３では、前記分析実行処理方法のための情報に基づき分析実行処理を構築し（分析実行処理構築ステップ１１５）、前記試験試料に関する情報（濃度等）を前記ユーザに入力させてロードし、分析結果データを生成する（試料情報ロードステップ１１７）。
【００２８】
前記のように取得された分析結果データは、次の検査ステップ１４０で検査にかけられる。検査ステップ１４０に先立ち、前記分析結果データに対するデフォルトリストを前記ユーザに提示して、その提示されたリストから所望または所定のリストを前記ユーザに選択させる（関連づけリスト選択ステップ１２０）ことにより、前記分析結果データに対する関連づけリストを前記ユーザに構築させる（関連づけリスト構築ステップ１３０）。
【００２９】
そして、前記関連づけリストに基づき前記分析結果データを処理し、検査テーブルを構築して前記ユーザに提示することにより、ユーザによる検査が可能となる（検査ステップ１４０）。
【００３０】
検査を経た分析実行処理は、保存（ステップ１５０）、印刷（ステップ１６０）、報告（ステップ１７０）が可能である。添付文献「金属分析検査及び報告システム−操作手順 Version 4.0」に記載されている具体的な実施形態では、報告ステップ１７０に進まずに、直接分析報告書を生成し印刷することができる例が示されている。
【００３１】
報告ステップ１７０の詳細について、以下、図３を参照しつつ説明する。図３は、本発明の実施形態としての分析結果を報告する方法（以下プロセス２００と略称する）を示すフローチャートである。
【００３２】
プロセス２００をスタートすると、まず、分析結果報告のための利用可能な処理のメニューをユーザに提示して（ステップ２０１）そのメニューから少なくとも一つの処理を選択させる（ステップ２１０）。次に、各分析で報告する試験試料（成分）を前記ユーザに提示して選択させる（検体選択ステップ２２０）。そして、前記予備情報選択ステップおよび検体選択ステップにおける前記ユーザの選択結果に基づき、分析結果を、前記ユーザに提示して編集させる（編集ステップ２３０）。その後、報告フォームデータを前記ユーザに提示してそこから所望または所定の報告フォームデータを選択させる（報告モジュール選択ステップ２４０）。
【００３３】
報告書のヘッダ情報の検査・編集等（ステップ２５０）を行い、フォームを印刷および／または検査（ステップ２６０）し、所望の結果であることが確認されたら、編集された結果を再計算してから新規データ（ＳＤＧ）として保存または既存データ（ＳＤＧ）に追加する（ステップ２７０）。最後に、ステップ２８０として、例外報告書を印刷する。
【００３４】
プロセス２００が完了すると処理はメインメニュー（プロセス１００）に戻り、次の分析実行方法を選択する（ステップ１０１）ことができる。
【００３５】
前記の方法（プロセス１００、プロセス２００）は、コンピュータに実装され、実行可能なコンピュータプログラムの形態で具現することが可能であり、前記方法を実行するプログラム命令を格納するコンピュータ可読媒体（コンパクトディスク等）に格納することができる。
【００３６】
本発明のシステムまたは方法を実装する方法の一例が添付文献「ＭＡＲＲＳ自己実装仕様書（MARRS Self-Implement Specifications）」に記載されている。この自己実装方法の概要について、図４を参照し説明する。
【００３７】
クライアント（ユーザ）がセルフインプリメンタを受領し、インストールを開始する（ステップ３１０）と、セルフインプリメンタは、質問グループ１として研究所名および略称をユーザに問い合わせて取得する（ステップ３２０）。次に、一般情報（器具の数および器具のカテゴリ、キーコード、報告モジュール、マトリックス、ディレクトリパス等）をユーザに問い合わせて取得する（ステップ３３０）。さらに、器具情報（初期値および最終値、検体リスト、報告リスト、ＱＣ規準リスト、真値リスト等）をユーザに問い合わせて取得する（ステップ３４０）。そして、追加情報（ＩＥＣ、ネーミング規則等）をユーザに問い合わせて取得する（ステップ３５０）。
【００３８】
各器具ごとにステップ３４０〜３５０を繰り返し、すべての器具について情報が取得されたら（ステップ３５５でＹｅｓ）取得情報を保存し、デフォルトプロファイルを作成し（ステップ３６０）、処理を終了する（ステップ３７０）。
【００３９】
本発明により、分析結果の報告を定式化することが可能となる。また、報告フォーマットをそろえることができる。また、政府や地方自治体の制定した環境法令と整合させることができる。
【００４０】
さらに、本発明によれば、必要とされるさまざまな方式要件を、分析プロセスの変更を要することなく、満たすことができる柔軟性を提供する。また、同一ソフトウェアシステム内に分析、検査および報告の機能を併せ持ったシステムである。ネットワーク接続が可能であり、ＬＩＭＳに直接接続することができる。
【００４１】
すなわち、本発明の分析検査および報告システムは、分析プロセス、分析器具への接続性および結果の処理の内部において差異があっても、必ず同一プロセスフローで動作することが可能である。
【００４２】
添付の書類は、すべての目的のため、引用により本願中に組み込まれるものとする：
１．ＥＩＳＣの分析検査及び報告スイート、無機及び有機実験生産のためのソフトウェア（EISC's Analytical Review and Reporting Suite, Software for Inorganic and Organic Laboratory Production）；
２．ＭＡＲＲＳ自己実装仕様（MARRS Self-Implement Specifications）；
３．金属分析検査及び報告システム−操作手順第４．０版（Metals Analytical Review and Reporting System-Operating Procedure Version 4.0）。
【００４３】
上述した本発明の実施態様は、その発明の趣旨から逸脱することなく変更が可能であることは、当該技術分野の通常の技能を有する者が認識するところであろう。したがって、本発明は開示されている特定の実施態様に限定されるものではなく、本発明の範囲と趣旨に含まれるいかなる修正も包含することを意図するものであることが理解される。
【００４４】
[[EISC Environmental Information Systems, Corporation]]
［ＥＩＳＣの分析検査及び報告スイート］
無機物及び有機物の実験生産のためのソフトウェア
エンヴァイロンメンタル・インフォメーション・システムズ，コーポレーション（Environmental Information Systems, Corporation）
ネヴァダ州  ８９１０３、ラスヴェガス、スイート２２１号、ウェスト・トロピカーナ・アヴェニュー  ６７６７（6767 W. Tropicana Avenue, Suite 221 Las Vegas, Nevada 89103）
www.eisc.net
【００４５】
[[EISC Environmental Information Systems, Corporation]]
目次
頁
システムの目的・・・・・・・・・・・・・・・・・・２
ＥＩＳＣクライアントの目標（本システムによる）・・３
システムの差別化・・・・・・・・・・・・・・・・・４
システムのバリエーション
・分析プロセス・・・・・・・・・・・・・・・・・・５
・分析器具への接続性・・・・・・・・・・・・・・・９
・結果の処理
・無機物・・・・・・・・・・・・・・・・・・・・１０
・有機物・・・・・・・・・・・・・・・・・・・・１５
システムの特徴
・金属分析検査及び報告システム・・・・・・・・・・２０
・一般化学分析検査及び報告システム・・・・・・・・２１
・有機物分析検査及び報告システム：揮発性物質・・・２２
・有機物分析検査及び報告システム：半揮発性物質・・２３
・有機物分析検査及び報告システム：殺虫剤・・・・・２４
・有機物分析検査及び報告システム：除草剤及び爆薬・２５
【００４６】
[[EISC Environmental Information Systems, Corporation]]
＜ＥＩＳＣの分析検査及び報告スイート＞
エンヴァイロンメンタル・インフォメーション・システムズ，コーポレーションの分析検査及び報告スイートソフトウェアは６つのモジュールにわかれています：
・金属分析検査及び報告システム
・一般化学分析検査及び報告システム
・有機物分析検査及び報告システム：揮発性物質
・有機物分析検査及び報告システム：半揮発性物質
・有機物分析検査及び報告システム：殺虫剤
・有機物分析検査及び報告システム：除草剤及び爆薬
【００４７】
［分析検査及び報告システムの目的］
・無機物、有機物、固形廃棄物及び空気の分析結果の報告を定式化すること。
・実験分析結果の報告フォーマットをそろえること。
・連邦政府、地区政府、州政府及び地方自治体の制定した環境法令と整合させること。
・浄水法（Clean Water Act）、安全飲料水法（Safe Drinking Water Act）、環境保全資源利用及び回復法（Resource Conservation and Recovery Act）；包括環境回答（Comprehensive Environmental Response）、補償及び責任法スーパーファンド改正法及び再授権法（Compensation and Liability Act Superfund Amendments and ReAuthorization Act）、その他の法律のための報告を定式化すること。
・空気と水の品質基準、空気品質管理、水の供給、廃水処理、暴風雨水管理、固形廃棄物、有害廃棄物、及び一般環境アセスメントのための、意思決定者のために結果を定式化すること。
・汚染産出及び潜在的な健康への影響との因果関係及び汚染物質源に対する有責者を決定すること。
【００４８】
[[EISC Environmental Information Systems, Corporation]]
＜ＥＩＳＣの分析検査及び報告スイート＞
［ＥＩＳＣ：クライアントの目標］
以下、ＥＩＳＣのクライアント・カテゴリ及びＥＩＳＣの分析検査及び報告システムを使用することによって達成しようとする目標をリストアップします。
・民間の研究機関
ＥＩＳＣの民間研究機関クライアントは、空軍、固形廃棄物、及び、州政府及び地方自治体の報告要件とともに、契約研究プログラムの報告要件を、生産性を向上しデータ品質の確実性を維持しつつ、柔軟に満足させることができます。
・ＤＯＥ研究機関
ＥＩＳＣのＤＯＥ研究機関クライアントは、特殊な混合廃棄物分析及びこれら特定の政府管轄地域内でのみ明白な特殊な方法のデータ品質保証の側面を達成することを目指し努力しています。
・医薬品研究機関
ＥＩＳＣの医薬品研究機関クライアントは、ＦＤＡの要件を満たす試験とともに、自身の医薬品試験を実施しています。
・環境アセスメント研究機関
ＥＩＳＣの環境アセスメント研究機関クライアントは、企業自身の排気物流のデータ品質保証及びアセスメントのためにＥＩＳＣソフトウェアを使用します。これには、公益事業、採鉱及び石油会社を含みます。
・食品研究機関
ＥＩＳＣの食品研究機関クライアントは、空軍、固形廃棄物、及び、農務省の報告要件とともに、契約研究プログラムの報告要件を、生産性を向上しデータ品質の確実性を維持しつつ、柔軟に満足させることができるようにすることを目指し努力しています。
【００４９】
[[EISC Environmental Information Systems, Corporation]]
＜ＥＩＳＣの分析検査及び報告スイート＞
［ソフトウェアシステムの差別化］
ＥＩＳＣの分析検査及び報告スイートは次のような理由から、他のあらゆる産業システムと異なり、より優れています：
・必要とされる様々な方式要件を、分析プロセスの変更を要することなく、満たすことができる柔軟性を提供します。現在、同様の機能を有するシステムは他にございません。
・現在産業平均と比較して、生産性が９００％アップ（９倍スピードアップ）します。分析検査(６０秒）及び報告(１５秒）を提供する現在最速の方法です。
・同一ソフトウェアシステム内に分析検査及び報告の両方を併せ持った最初にして唯一のシステムです。
・一般化学向けの最初にして唯一の市販ソフトウェアです。
・自己（ユーザ）定義した元の無限数を提供する最初にして唯一のソフトウェアシステムです。
・ひとつのシステムで分析検査及びクライアント報告を両方提供する唯一の金属ソフトウェアです
・分析検査を自動実行する唯一の金属ソフトウェア
・分析データを検査する最速方法です・・・わずか９０秒で全分析実行処理を確認します
・ひとつのシステムでＳＷ８４９及びＣＬＰ及び報告の両方を提供する唯一の金属ソフトウェアです
・ＳＷ８４６、ＣＬＰ、ＡＦＣＥＥ、ＤＯＤ、ＤＯＥ、ＩＬＣＯ３．０を含む、クライアント固有の金属報告及びＥＤＤのどんなタイプでも生成する柔軟性を有する唯一のシステムです。
・ＣＬＰフォーム全１４フォームを、約１５分で生成する最速方法です
・研究機関内どこからでもネットワーク接続可能です
・ＬＩＭＳに直接接続します
・実装が簡単です
・ＡＦＣＥＥ報告を提供する最初のソフトウェアシステムです
・ＳＷ８４６報告を提供する最初のソフトウェアシステムです
・ＩＬＣ報告を提供する最初のソフトウェアシステムです
・一般化学用報告フォーマットを初めて標準化するものです
【００５０】
[[EISC Environmental Information Systems, Corporation]]
＜ＥＩＳＣの分析検査及び報告スイート＞
［分析検査及び報告スイートのバリエーション］
ＥＩＳＣの分析検査及び報告システムは、必ず同一プロセスフロー内で動作します。差異があらわれるのは、分析プロセス、分析器具への接続性及び結果の処理の内部となります。
【００５１】
［分析プロセス］
疾病やその原因に関する（意思決定者への）結果の報告を定式化します。
【００５２】
【表１】
0003893108.tif 000002
【００５３】
【表２】
0003893108.tif 000003
【００５４】
【表３】
0003893108.tif 000004
【００５５】
【表４】
0003893108.tif 000005
【００５６】
【表５】
0003893108.tif 000006
【００５７】
【表６】
0003893108.tif 000007
【００５８】
【表７】
0003893108.tif 000008
【００５９】
（分析検査及び報告スイートのバリエーションの続き）
［分析器具への接続性］
研究機関の業務の中では様々な器具が使用されるため、分析検査及び報告システムはこれらの器具への接続によって異なるものとなります。たとえば、無機物質研究所内に設置された器具は、一般化学研究所などの中のそれとは異なります。ＥＩＳＣモジュール及びその対応する器具を以下にリストアップします。
【００６０】
金属分析検査及び報告システム：
接続可能な器具：
・ＩＣＰ（Inductively Coupled Plasma：誘導結合プラズマ）
・ＩＣＰ／質量分析法
・黒鉛炉原子吸光（Graphite Furnace Atomic Absorption: ＧＦＡＡ）
・炎光原子吸光（Flame Atomic Absorption）
・冷蒸原子吸光（Cold Vapor Atomic Absorption）
・シアン化物（latchat）
【００６１】
一般化学分析検査及び報告システム
接続可能な器具：
・イオンクロマトグラフ（Ion Chromatographs）
・Latchat；メトラー社天秤（Mettler Balance）
・色測定（Latchat）
・導電率計（Conductivity Meter）
・イオン選択性電極分析
・滴定
・全有機炭酸成分（Total Organic Carbon）
・赤外分光法（Infrared Spectroscopy）
【００６２】
有機物分析検査及び報告システム：揮発性物質
接続可能な器具：
・ガスクロマトグラフ／質量分析器
・液体クロマトグラフ／質量分析器
・ガスクロマトグラフ
【００６３】
有機物分析検査及び報告システム：半揮発性物質
・ガスクロマトグラフ／質量分析器
・液体クロマトグラフ／質量分析器
【００６４】
有機物分析検査及び報告システム：殺虫剤
・ガスクロマトグラフ
・液体クロマトグラフ
【００６５】
有機物分析検査及び報告システム：除草剤及び爆薬
・高圧液体クロマトグラフィ（ＨＰＬＣ）
【００６６】
（分析検査及び報告スイートのバリエーションの続き）
［結果の処理］
結果の処理は、ご使用の器具の性能、研究所内の汚染、現場設備の汚染、分析設備構成や抽出効率及び／又は温浸効率、及び環境試料の検査水準の決定によって異なります。
【００６７】
無機物システムに対する結果の処理
−金属分析検査及び報告システム
−一般化学分析検査及び報告システム
【００６８】
分析試料：
器具の較正、初期較正検証、初期較正空試験、継続較正検証、継続較正空試験を除く分析を実行する器具に導入される任意の溶液又は媒質です。分析試料として以下のすべてが定義されることに注意してください：非希釈及び希釈試料（EPA及びnon-EPA）、前温浸（predigestion）スパイク試料、複製試料、連続希釈試料、分析スパイク試料、後温浸（post-digestion）スパイク試料、干渉チェック試料（Interference Check Sample:ＩＣＳ）、ＡＡ用ＣＲＤＬ標準（CRDL standard for AA:ＣＲＡ）、ＩＣＰ用ＣＲＤＬ標準（CRDL standard for ICP:ＣＲＩ）実験対照標準試料（Laboratory Control Sample:ＬＣＳ）、準備空試料（Preparation Blank:ＰＢ）及び線形域（linear range）分析試料。
【００６９】
分析スパイク：
（無機物分析）後温浸スパイク。温浸後、既知量の標準液を添加します。
【００７０】
オートゼロ（Autozero）
（無機物分析）器具を適切な波長でゼロ設定します。吸光度をゼロにして標準試料空試験を行うことに同義です。
【００７１】
平均強度
（無機物分析）２つの異なる射出（露光）の平均です。
【００７２】
バックグラウンド補正
（無機物分析）：微量成分の測定における器具の信号への様々なバックグラウンドの寄与を補償する技術です。
【００７３】
バイアス（Ｂｌａｓ）
処理中のシステム上のエラーによる、真値からの測定値の一定の乖離。
【００７４】
空試料（方法空試料）
空試料とは、人工物のプロセスへの導入を監視するよう設計された人工試料です。水性試料用には、空試料マトリックスとして試薬水を用います。一方、固体資料用には、一般的な空試料マトリックスは存在しませんが、時に、空試料マトリックスとして汚れていない砂を使用します。プロセスの適当な工程を通じて空試料が採用されます。試薬空試料とは、分析バッチで分析される検体不要の水又は溶媒のアリコートのことをいいます。現場空試料とは、密封した容器にいれて現場に持ち込み、試料容器で研究所に運び回収される検体不要の水又は溶媒のアリコートのことです。トリップ（trip）空試料及び装置空試料が、現場空試料の典型的な２つのタイプです。トリップ空試料は現場で開封されることはありません。トリップ空試料は試料の輸送や発送もしくは現場の状態によって生じる試料の汚染のチェックです。装置空試料は、現場で開封され、その中身を試料収集装置に適当に注ぎ、試料容器の中に回収し、試料として研究室に持ち帰ります。装置空試料は、試料装置の清潔さのチェックです。
【００７５】
較正
（無機物分析）吸光度、照射強度又は既知の標準品の他の測定された特性に基づく、分析曲線の定立のことです。試料の調製に用いるのと同じタイプの酸剤及び試薬又は酸剤の濃度を用いて較正標準品を調製しなければなりません。
【００７６】
（結果の処理、無機物）
較正空試料
（無機物分析）通常、できる限り検体不要で、較正標準品の調製に使用する体積の等しい化学試薬とともに調製され、較正標準品の調製に使用する同じ溶媒（水有機物）で適切な体積に希釈される有機物又は水性の溶液です。較正は、濃度較正曲線に対する器具の応答に対してゼロ値を与えるために使用されます。使用時、較正空試料は、各分析バッチ又は試料の各方法固有の数のうち大きいほうで分析しなければなりません。
【００７７】
較正チェック
器具の検体量への応答率の照合、適当な溶媒中の検体標準品に対する分析をすることによって較正チェックがなされます。較正チェック溶液は標準品の調製に使用される貯蔵液とは異なる貯蔵液から作成されます。
【００７８】
較正チェック標準
定期的な再較正の間の器具の較正の状態を測定するために使用される標準規格です。
【００７９】
較正標準品
器具の較正（すなわち、分析曲線の作成）のために分析者が用いる既知の一連の標準溶液です。
【００８０】
チェック試料−
分析方法の実行を監視するために独立ソースからの検体を添加（スパイク）した空試料をチェック試料と呼びます。スパイク（添加）のレベルは、該当する規則がある場合には、規則の実施レベルでなければなりません。規則がない場合には、スパイクは、定量化限度の予測値の５倍でなければなりません。使用するマトリックスは、試料と位相整合され、よく特徴づけられていなければならず、例えば、試薬グレードの水が水性試料には適しています。
【００８１】
チェック標準品
測定プロセスを評価するために試料と同時に分析される既知の成分を有する物質のことです。分析システムの較正を照合するために分析される分析標準品です。ひとつのチェック標準品は、分析バッチないし２０試料のどちらか大きいほう毎に分析されなければなりません。（較正チェック標準及び較正チェックの項参照）
【００８２】
確実性係数−
蓋然性、測定結果が、確実な区間または確実な限界値間に収まる百分率のこと。
【００８３】
確実な区間
真値が所定の蓋然性レベルにある可能な値の集合のこと。
【００８４】
確実な限界値
確実な区間を画定する境界値のうちのひとつです。
【００８５】
継続較正
（無機物分析）分析標準品は、１０分析試料毎または２時間毎のうち頻度の高いほうで実行され、システムの較正を照合します。
【００８６】
対照標準限界
適合的であるために所定の測定結果が収まっていなければならない範囲。対照標準限界は、それを超えたら補正措置を要求する強制的なものであってもよく、適合しないデータにフラグを立てることを要求する助言的なものであってもよい。
【００８７】
相関係数
２つの変数（濃度−吸光度）間の依存度を表す数字（ｒ）です。依存度が高いほど、値が１に近くなります。最小の方形線に基づき決定します。
【００８８】
（結果の処理、無機物）
複製
方法の正確性を測定するために元の試料と同様に扱われる試料の第２のアリコートです。
【００８９】
複製試料
複製試料とは、同じソースから採取された２つの別個の試料です（すなわち、別の容器内で独立に分析されます）。
【００９０】
環境試料
環境試料又は現場試料とは、組成又は汚染の測定が要求ないし必要とされる任意のソースから採集された任意の物質（水性、非水性または複合媒体）の代表試料のことです。環境試料は通常次のように分類されます：
・飲料水−飲料用水として予定された配給（処理または未処理の）水、
・水／廃水−公共の飲料水供給のための生の源水、地下水、地方自治体の流入水／流出水、産業用流入水／流出水、
・汚泥−地方自治体の汚泥及び産業用の汚泥、
・廃棄物−水性及び非水性廃棄物、化学固形物、汚染土壌、及び産業用液状・固体状廃棄物。
【００９１】
装置空試料
通常、できるだけ検体不要で、現場に搬送され、現場で開封され、試料収集装置に注ぎ、試料容器に回収し、研究所に持ち帰る有機物または水性の溶液です。これは、試料採取装置の清潔さをチェックする効果があります。各分析バッチまたは２０試料毎のうちいずれか大きいほうについてひとつの装置空試料を分析しなければなりません。
【００９２】
ＧＣ／ＥＣ  ガスクロマトグラフィ（Gas Chromatography）／電子捕獲（Electron Capture）
【００９３】
ＨＲＧＣ
高分解能ガスクロマトグラフィ（High Resolution Gas Chromatography）
【００９４】
ＩＣＳ
干渉チェック標準（Interference Check Standard）
【００９５】
独立標準品
初期較正用の標準品で用いるものとは別のソースに由来する検体からなる、請負業者調製の標準規格溶液。
【００９６】
初期較正
一連の異なる所定濃度用の分析標準品の分析です；分析検出器または方法の線形性及び動的応答範囲を画定するために用います。
【００９７】
器具較正
一連の異なる所定濃度用の分析標準品の分析です；目標検体に対する器具の定量的応答、線形及び動態域を画定するために用います。
【００９８】
器具チェック試料
（無機物分析）干渉とともにバックグラウンド及び成分間補正係数を照合するのに用いることができる既知の濃度の検体成分を有する溶液です。
【００９９】
器具チェック標準
毎日の器具性能を監視・照合するために分析者が調製する既知の濃度の複合成分標準品です。
【０１００】
（結果の処理、無機物）
干渉物（Interferents）
対象となる成分の分析に影響を与える物質です
【０１０１】
内部標準品
分析に先立ち、すべての標準品、空試料、マトリックススパイク、マトリックススパイクの複製、（ＶＯＡ用）試料及び（半揮発性物質用）試料抽出物に、既知の濃度で添加される化合物のこと。内部標準品は、目的化合物の計量の基礎として用いられます。
【０１０２】
実験対照標準試料（laboratory Control Samples: LCS）
既知の組成を有する対照標準試料です。水性及び固形実験対照標準試料は、受領したＥＰＡ試料用に用いられるのと同じ試料調製、試薬、及び分析方法によって分析されます。
【０１０３】
実験対照標準
通常、外部機関により認証された、処理のバイアスを測定するために用いられる標準規格です。特定の構成成分及びマトリックスのために、利用可能であれば、アメリカ国立標準・技術局（National Institute of Standards and Technology: NIST）標準レフェレンス資料を用います。
【０１０４】
線形域、線形動態域
（無機物分析）ＩＣＰ分析曲線が線形をなす濃度範囲のことです。
【０１０５】
マトリックススパイク（Matrix Spike: ＭＳ）
回復を測定することによりマトリックスの方法の適切さを示すために、既知量の特定化合物を添加（スパイク）して、全分析処理工程にかけた試料（水または土）のアリコートです。
【０１０６】
マトリックススパイク複製試料（Matrix Spike Duplicate: ＭＳＤ）
方法の正確性を測定するためにスパイク（添加）する前記マトリックススパイクと同様のマトリックスの第二のアリコートです。
【０１０７】
方法空試料
全分析処理工程を実行する、すべての試薬、内部標準品及び代用標準品からなる分析対照標準品です。方法空試料は、実験のバックグラウンド及び試薬の汚染のレベルを画定するのに用いられます。
【０１０８】
調製空試料（試薬空試料、方法空試料）
すべての分析処理工程（温浸、分析）が実行される蒸留・脱イオン水及び試薬を含む、分析対象標準品です。水マトリックスを有する試料と同じ試薬で、水性方法空試料を処理します。固形方法空試料は、土試料と同じ試薬で処理されます。
【０１０９】
品質対照標準参照試料（Quality Control Reference Sample）−較正用に使用されるものとは異なるが較正範囲内の濃度で、独立の標準品から調製される試料のこと。独立の標準品は、標準曲線で用いられる標準品の調製に用いられるのとは異なるソースに由来する目的の検体からなる標準品として定義されます。品質対照標準参照試料は、技法、方法論及び標準品を独立にチェックするものとするよう意図されており、分析バッチ毎または、２０試料毎のうち大きいほうで実行されなければなりません。これは、すべての有機物及び無機物分析に適用可能です。
【０１１０】
品質対照標準試料（Quality Control Sample）
較正標準を照合するために用いられる異なる既知の濃度を有する外部ソースから得られる溶液のこと。
【０１１１】
確率的誤差
標準的な統計手法によって説明することができる、分析処理の任意の工程における偏差のこと。
【０１１２】
（結果の処理、無機物）
試薬空試料
通常、できるだけ検体不要で、試料の処理に使用するのと同じ体積ですべての試薬を含む有機溶液または水溶液のこと。試薬空試料は、完全な試料調製処理にかけなければならず、分析に使用される溶液中の濃度と同じ試薬濃度を最終溶液中に含んでいます。試薬空試料は、試料の調製または処理の結果生ずる可能性のある汚染を補正するために用いられます。ひとつの試薬空試料は、分析バッチ毎もしくは２０試料毎のうち大きいほうで調製されなければなりません。
【０１１３】
反復試料
反復試料とは、サンプルを２つ以上の別個のアリコートに分取することによって調製されます。まったく同じ試料が２つの反復実験によって検討されることになります。分取が不可能な場合には、例えば、揮発性物質の場合には、まったく同じ試料が反復分析のために採用されなければなりません。
【０１１４】
連続希釈
ファクター（補正係数）５による試料の希釈のこと。希釈ファクターにより補正されると、希釈された試料は元の希釈されていない試料と所定の限界内で一致していなければなりません。連続希釈は干渉物の影響を反映することができます。
【０１１５】
目標化合物リスト（Target Compound List: ＴＣＬ）
分析のための製品仕様書（Statement of Work）によって指定される化合物のリストです。
【０１１６】
有機組織（全システム）のための結果の処理
−有機物分析検査及び報告システム：揮発性物質
−有機物分析検査及び報告システム：半揮発性物質
−有機物分析検査及び報告システム：殺虫剤
−有機物分析検査及び報告システム：除草剤及び爆薬
【０１１７】
棒グラフスペクトル：
（有機物分析）質量−電荷比率（ｍ／ｅ）対イオン電流の相対強度。
【０１１８】
バイアス（Ｂｌａｓ）
処理中のシステム上のエラーによる、真値からの測定値の一定の乖離。
【０１１９】
空試料（方法空試験）
空試料とは、人工物のプロセスへの導入を監視するよう設計された人工試料です。水性試料用には、空試料マトリックスとして試薬水を用います。一方、固体資料用には、一般的な空試料マトリックスは存在しないが、時に、空試料マトリックスとして汚れていない砂を使用します。プロセスの適当な工程を通じて空試料が採用されます。試薬空試料とは、分析バッチで分析される検体不要の水又は溶媒のアリコートのことをいいます。現場空試料とは、密封した容器にいれて現場に持ち込み、試料容器で研究所に運び回収される検体不要の水又は溶媒のアリコートのことです。トリップ（trip）空試料及び装置空試料が、現場空試料の典型的な２つのタイプです。トリップ空試料は現場で開封されることはありません。トリップ空試料は試料の輸送や発送もしくは現場の状態によって生じる試料の汚染のチェックです。装置空試料は、現場で開封され、その中身を試料収集装置に適当に注ぎ、試料容器の中に回収し、試料として研究室に持ち帰ります。装置空試料は、試料装置の清潔さのチェックです。
【０１２０】
４−ブロモフルオロベンゼン（4-Bromoflourobenzene：ＢＦＢ）
（有機物分析）揮発性物質分析に対する質量スペクトル器具性能を確定するために、選択される化合物です。また、揮発性有機物分析のための代用試料としても使用されます。
【０１２１】
較正チェック
器具の検体量への応答率の照合、適当な溶媒中の検体標準品に対する分析をすることによって較正チェックがなされます。較正チェック溶液は標準品の調製に使用される貯蔵液とは異なる貯蔵液から作成されます。
【０１２２】
較正チェック標準
定期的な再較正の間の器具の較正の状態を測定するために使用される標準規格品。
【０１２３】
較正標準
器具の較正（すなわち、分析曲線の作成）のために分析者が用いる既知の一連の標準液。
【０１２４】
ＣＣＣ：
較正チェック化合物（Calibration Check Compound）
【０１２５】
チェック試料
分析方法の実行を監視するために独立ソースからの検体を添加（スパイク）した空試料をチェック試料と呼びます。スパイク（添加）のレベルは、該当する規則がある場合には、規則の実施レベルでなければなりません。規則がなければ、スパイクは、定量化限度の予測値の５倍でなければなりません。使用するマトリックスは、試料と位相整合され、よく特徴づけられていなければならず、例えば、試薬グレードの水が水性試料には適しています。
【０１２６】
チェック標準
測定プロセスを評価するために試料と同時に分析される既知の成分を有する物質のこと。分析システムの較正を照合するために分析される分析標準品です。ひとつのチェック標準は、分析バッチないし２０試料のどちらか大きいほう毎に分析されなければなりません。（較正チェック標準及び較正チェックの項参照）
【０１２７】
（結果の処理、有機物）
確実性係数
蓋然性、測定結果が、確実な区間または確実な限界値間に収まる百分率。
【０１２８】
確実な区間
真値が所定の蓋然性レベルにある可能な値の集合。
【０１２９】
確実な限界値
確実な区間を画定する境界値のうちのひとつ。
【０１３０】
継続較正
（有機物分析）ＧＳ／ＭＳシステムの較正を照合するための１２時間毎の分析標準の実行。
【０１３１】
対照標準限界
適合的であるために所定の測定結果が収まっていなければならない範囲。対照標準限界は、それを超えたら補正措置を要求する強制的なものであってもよく、適合しないデータにフラグを立てることを要求する助言的なものであってもよい。
【０１３２】
相関係数
２つの変数（濃度−吸光度）間の依存度を表す数字（ｒ）。依存度が高いほど、値が１に近い。最小の方形線に基づき決定します。
【０１３３】
デカフルオロトリフェニルホスフィン（Decafluorotriphenylphosphine: ＤＦＴＰＰ）
（有機物分析）半揮発性物質分析に対する質量スペクトル器具性能を確定するために、選択される化合物。
【０１３４】
複製
方法の正確性を測定するために元の試料と同様に扱われる試料の第２のアリコート。
【０１３５】
複製試料
複製試料とは、同じソースから採取された２つの別個の試料（すなわち、別の容器内で独立に分析される）。
【０１３６】
環境試料
環境試料又は現場試料とは、組成又は汚染の測定が要求ないし必要とされる任意のソースから採集された任意の物質（水性、非水性または複合媒体）の代表試料のことです。環境試料は通常次のように分類されます：
・飲料水−飲料用水として予定された配給（処理または未処理の）水、
・水／廃水−公共の飲料水供給のための生の源水、地下水、地方自治体の流入水／流出水、産業用流入水／流出水、
・汚泥−地方自治体の汚泥及び産業用の汚泥、
・廃棄物−水性及び非水性廃棄物、化学固形物、汚染土壌、及び産業用液状・固体状廃棄物。
【０１３７】
装置空試料
通常、できるだけ検体不要で、現場に搬送され、現場で開封され、試料収集装置に注ぎ、試料容器に回収し、研究所に持ち帰る有機物または水性の溶液のこと。これは、試料採取装置の清潔さをチェックする効果があります。各分析バッチまたは２０試料毎のうちいずれか大きいほうについてひとつの装置空試料を分析しなければなりません。
【０１３８】
ＧＣ／ＥＣ
ガスクロマトグラフィ（Gas Chromatography）／電子捕獲（Electron Capture）
【０１３９】
（結果の処理、有機物）
ＧＣ／ＭＳ
ガスクロマトグラフィ（Gas Chromatography）／質量分析法（Mass Spectrometry）
【０１４０】
ＨＲＧＣ
高分解能ガスクロマトグラフィ（High Resolution Gas Chromatography）
【０１４１】
ＨＲＭＳ
高分解能質量分析法（High Resolution Mass Spectrometry）
【０１４２】
ＩＣＳ
干渉チェック標準（Interference Check Standard）
【０１４３】
独立標準
初期較正用の標準で用いるものとは別のソースに由来する検体からなる、請負業者調製の標準溶液。
【０１４４】
初期較正
一連の異なる所定濃度用の分析標準品の分析；分析検出器または方法の線形性及び動態応答域を画定するために用います。
【０１４５】
器具較正
一連の異なる所定濃度用の分析標準品の分析；目標検体に対する器具の定量的応答、線形性及び動態域を画定するために用います。
【０１４６】
器具チェック試料
（無機物分析）干渉とともに、バックグラウンド及び成分間補正係数を照合するのに用いることができる既知の濃度の検体成分を有する溶液。
【０１４７】
器具チェック標準
毎日の器具性能を監視・照合するために分析者が調製する既知の濃度の複合成分標準品。
【０１４８】
干渉物（Interferents）
対象成分の分析に影響を与える物質
【０１４９】
内部標準
分析に先立ち、すべての標準品、空試料、マトリックススパイク、マトリックススパイクの複製、（ＶＯＡ用）試料及び（半揮発性物質用）試料抽出物に、既知の濃度で添加される化合物。内部標準は、目的化合物の計量の基礎として用いられます。
【０１５０】
実験対照標準試料（laboratory Control Samples: LCS）
既知の組成を有する対照標準試料。水性及び固形実験対照標準試料は、受領したＥＰＡ試料用に用いられるのと同じ試料調製、試薬、及び分析方法によって分析されます。
【０１５１】
実験対照標準
通常、外部機関により認証された、処理のバイアスを測定するために用いられる標準規格。特定の構成成分及びマトリックスのために、利用可能であれば、アメリカ国立標準・技術局（National Institute of Standards and Technology: NIST）標準レフェレンス資料を用います。
【０１５２】
マトリックススパイク（Matrix Spike: ＭＳ）
回復を測定することによりマトリックスの方法の適切さを示すために、既知量の特定化合物を添加（スパイク）して、全分析処理工程にかけた試料（水または土）のアリコート。
【０１５３】
マトリックススパイク複製（Matrix Spike Duplicate: ＭＳＤ）
方法の正確性を測定するためにスパイク（添加）する前記マトリックススパイクと同様のマトリックスの第二のアリコート。
【０１５４】
（結果の処理、有機物）
方法空試料
全分析処理工程を実行する、すべての試薬、内部標準及び代用標準からなる分析対照標準。方法空試料は、実験のバックグラウンド及び試薬の汚染のレベルを画定するのに用いられます。
【０１５５】
調製空試料（試薬空試料、方法空試料）
すべての分析処理工程（温浸、分析）が実行される蒸留・脱イオン水及び試薬を含む、分析対象標準です。水マトリックスを有する試料と同じ試薬で、水性方法空試料を処理します。固形方法空試料は、土試料と同じ試薬で処理されます。
【０１５６】
品質対照標準参照試料（Quality Control Reference Sample）
較正用に使用されるものとは異なるが較正範囲内の濃度で、独立の標準品から調製される試料。独立の標準品は、標準試料曲線で用いられる標準品の調製に用いられるのとは異なるソースに由来する目的の検体からなる標準品として定義されます。品質対照標準参照試料は、技法、方法論及び標準を独立にチェックするものとするよう意図されており、分析バッチ毎または、２０試料毎のうち大きいほうで実行されなければなりません。これは、すべての有機物及び無機物分析に適用可能です。
【０１５７】
品質対照標準試料（Quality Control Sample）
較正標準を照合するために用いられる異なる既知の濃度を有する外部ソースから得られる溶液。
【０１５８】
確率的誤差
標準的な統計手法によって説明することができる、分析処理の任意の工程における偏差。
【０１５９】
試薬空試料
通常、できるだけ検体不要で、試料の処理に使用するのと同じ体積ですべての試薬を含む有機溶液または水溶液のこと。試薬空試料は、完全な試料調製処理にかけなければならず、分析に使用される溶液中の濃度と同じ試薬濃度を最終溶液中に含んでいます。試薬空試料は、試料の調製または処理の結果生ずる可能性のある汚染を補正するために用いられます。ひとつの試薬空試料は、分析バッチ毎もしくは２０試料毎のうち大きいほうで調製されなければなりません。
【０１６０】
反復試料
反復試料とは、サンプルを２つ以上の別個のアリコートに分取することによって調製されます。まったく同じ試料が２つの反復実験によって検討されることになります。分取が不可能な場合には、例えば、揮発性物質の場合には、まったく同じ試料が反復分析のために採用されなければなりません。
【０１６１】
代用品
代用品とは、目的の検体と化学組成、抽出及びクロマトグラフィにおいて類似する有機化合物ですが、通常は環境試料中に見いだされることのないものです。このような化合物が、すべての空試料、較正及びチェック標準品、試料（複製、ＱＣ参照試料を含む）及び分析に先立ってスパイク（添加）された試料中に、スパイク（添加）されます。
【０１６２】
代用標準品
方法の全体的な効率が測定できるように、実験室の試料に処理直前に添加される純粋化合物。
【０１６３】
システム監視化合物
（有機物分析）あらゆる空試料、試料、マトリックススパイク、マトリックススパイク複製、及び揮発性物質分析用標準品に添加され、全体パージ及びトラップガスクロマトグラフ−質量分析システムの性能を評価するために使用される化合物。このような化合物は環境媒質中で検出することが期待できない臭素化ないし重水素化された化合物です。
【０１６４】
（結果の処理、有機物）
目標化合物リスト（Target Compound List: ＴＣＬ）
分析のための製品仕様書（Statement of Work）によって指定される化合物のリスト。
【０１６５】
仮に特定された化合物（Tentatively Identified Compound: ＴＩＣ）
目標化合物、内部標準品、システム監視化合物、または代用品ではない試料中に検出される化合物。３０までの最高値（最近接内部標準品の面積または高さの最高値の１０％以上）を、仮の特定をするための質量分析ライブラリ検索にかけます。
【０１６６】
ＴＩＣ−
仮に特定された化合物
【０１６７】
トリップ空試料
通常、できるだけ検体不要で、現場に搬送され、開封されずに研究所に持ち帰る有機物または水性の溶液。これは、試料の運搬、発送、及び現場の状態をチェックする効果があります。各分析バッチまたは２０試料毎のうちいずれか大きいほうについてひとつのトリップ空試料を分析しなければなりません。
【０１６８】
[[EISC Environmental Information Systems, Corporation]]
＜ＥＩＳＣの金属分析検査及び報告システム＞
金属分析検査及び報告システムの特徴を以下に示します。
【０１６９】
特徴
Ａ．複数の報告フォーマット
・ＣＬＰ
・ＣＬＰ−Ｌｉｋｅ
・ＳＷ８４６
・ＡＦＣＥＥ
・ＩＬＣＯ３．０
・任意の種類のクライアント固有の報告
Ｂ．ＭＡＲＲＳにより生成する追加報告
・器具読取（生）結果報告
・分析実行ログ報告
・水の硬度についての特別臨時報告
・内部標準報告
・例外報告
Ｃ．ユーザ／自己定義報告リスト
Ｄ．ユーザ定義ＱＣ規準
Ｅ．ユーザ定義真値リスト
Ｆ．ユーザ定義計算ストリング
Ｇ．ユーザ定義学術有効数字及び桁数
Ｈ．クオリファイア及び検査メッセージによる検査プロセス自己定義能力
Ｉ．エクセル（Excel）及びワード（Word）のような種々のソフトウェアシステムへの電子的エクスポート
Ｊ．ユーザ定義可能な方法
Ｋ．ユーザ定義可能な印刷機能
Ｌ．ユーザ定義可能なアップロード
Ｍ．ユーザ定義可能なＬＩＭＳ接続
Ｎ．抽出及び温浸ソフトウェアモジュールへの接続能力
Ｏ．ＥＤＤジェネレータへの接続能力
Ｐ．制御出力のための中央貯蔵所としてのシステムの機能
【０１７０】
[[EISC Environmental Information Systems, Corporation]]
＜ＥＩＳＣの一般化学分析検査及び報告システム＞
ＥＩＳＣの一般化学分析検査及び報告システムのシステム特徴を以下に示します。
【０１７１】
特徴
Ａ．複数の報告フォーマット
・ＣＬＰ
・ＣＬＰ−Ｌｉｋｅ
・ＳＷ８４６
・ＡＦＣＥＥ
・ＩＬＣＯ３．０
・任意の種類のクライアント固有の報告
Ｂ．ＭＡＲＲＳにより生成する追加報告
・器具読取（生）結果報告
・分析実行ログ報告
・水の硬度についての特別臨時報告
・内部標準報告
・例外報告
Ｃ．ユーザ／自己定義報告リスト
Ｄ．ユーザ定義ＱＣ規準
Ｅ．ユーザ定義真値リスト
Ｆ．ユーザ定義計算ストリング
Ｇ．ユーザ定義学術有効数字及び桁数
Ｈ．クオリファイア及び検査メッセージによる検査プロセス自己定義能力
Ｉ．エクセル（Excel）及びワード（Word）のような種々のソフトウェアシステムへの電子的エクスポート
Ｊ．ユーザ定義可能な方法
Ｋ．ユーザ定義可能な印刷機能
Ｌ．ユーザ定義可能なアップロード
Ｍ．ユーザ定義可能なＬＩＭＳ接続
Ｎ．抽出及び温浸ソフトウェアモジュールへの接続能力
Ｏ．ＥＤＤジェネレータへの接続能力
Ｐ．制御出力のための中央貯蔵所としてのシステムの機能
【０１７２】
[[EISC Environmental Information Systems, Corporation]]
＜ＥＩＳＣの有機物分析検査及び報告システム：揮発性物質＞
ＥＩＳＣの揮発性物質用有機物分析検査及び報告システムのシステム特徴を以下に示します。
【０１７３】
特徴
Ａ．複数の報告フォーマット
・ＣＬＰ
・ＣＬＰ−Ｌｉｋｅ
・ＳＷ８４６
・ＡＦＣＥＥ
・ＩＬＣＯ３．０
・任意の種類のクライアント固有の報告
Ｂ．ＭＡＲＲＳにより生成する追加報告
・器具読取（生）結果報告
・分析実行ログ報告
・水の硬度についての特別臨時報告
・内部標準報告
・例外報告
Ｃ．ユーザ／自己定義報告リスト
Ｄ．ユーザ定義ＱＣ規準
Ｅ．ユーザ定義真値リスト
Ｆ．ユーザ定義計算ストリング
Ｇ．ユーザ定義学術有効数字及び桁数
Ｈ．クオリファイア及び検査メッセージによる検査プロセス自己定義能力
Ｉ．エクセル（Excel）及びワード（Word）のような種々のソフトウェアシステムへの電子的エクスポート
Ｊ．ユーザ定義可能な方法
Ｋ．ユーザ定義可能な印刷機能
Ｌ．ユーザ定義可能なアップロード
Ｍ．ユーザ定義可能なＬＩＭＳ接続
Ｎ．抽出及び温浸ソフトウェアモジュールへの接続能力
Ｏ．ＥＤＤジェネレータへの接続能力
Ｐ．制御出力のための中央貯蔵所としてのシステムの機能
【０１７４】
[[EISC Environmental Information Systems, Corporation]]
＜ＥＩＳＣの有機物分析検査及び報告システム：半揮発性物質＞
ＥＩＳＣの半揮発性物質用有機物分析検査及び報告システムのシステム特徴を以下に示します。
【０１７５】
特徴
Ａ．複数の報告フォーマット
・ＣＬＰ
・ＣＬＰ−Ｌｉｋｅ
・ＳＷ８４６
・ＡＦＣＥＥ
・ＩＬＣＯ３．０
・任意の種類のクライアント固有の報告
Ｂ．ＭＡＲＲＳにより生成する追加報告
・器具読取（生）結果報告
・分析実行ログ報告
・水の硬度についての特別臨時報告
・内部標準報告
・例外報告
Ｃ．ユーザ／自己定義報告リスト
Ｄ．ユーザ定義ＱＣ規準
Ｅ．ユーザ定義真値リスト
Ｆ．ユーザ定義計算ストリング
Ｇ．ユーザ定義学術有効数字及び桁数
Ｈ．クオリファイア及び検査メッセージによる検査プロセス自己定義能力
Ｉ．エクセル（Excel）及びワード（Word）のような種々のソフトウェアシステムへの電子的エクスポート
Ｊ．ユーザ定義可能な方法
Ｋ．ユーザ定義可能な印刷機能
Ｌ．ユーザ定義可能なアップロード
Ｍ．ユーザ定義可能なＬＩＭＳ接続
Ｎ．抽出及び温浸ソフトウェアモジュールへの接続能力
Ｏ．ＥＤＤジェネレータへの接続能力
Ｐ．制御出力のための中央貯蔵所としてのシステムの機能
【０１７６】
[[EISC Environmental Information Systems, Corporation]]
＜ＥＩＳＣの有機物分析検査及び報告システム：殺虫剤＞
ＥＩＳＣの殺虫剤用有機物分析検査及び報告システムのシステム特徴を以下に示します。
【０１７７】
特徴
Ａ．複数の報告フォーマット
・ＣＬＰ
・ＣＬＰ−Ｌｉｋｅ
・ＳＷ８４６
・ＡＦＣＥＥ
・ＩＬＣＯ３．０
・任意の種類のクライアント固有の報告
Ｂ．ＭＡＲＲＳにより生成する追加報告
・器具読取（生）結果報告
・分析実行ログ報告
・水の硬度についての特別臨時報告
・内部標準報告
・例外報告
Ｃ．ユーザ／自己定義報告リスト
Ｄ．ユーザ定義ＱＣ規準
Ｅ．ユーザ定義真値リスト
Ｆ．ユーザ定義計算ストリング
Ｇ．ユーザ定義学術有効数字及び桁数
Ｈ．クオリファイア及び検査メッセージによる検査プロセス自己定義能力
Ｉ．エクセル（Excel）及びワード（Word）のような種々のソフトウェアシステムへの電子的エクスポート
Ｊ．ユーザ定義可能な方法
Ｋ．ユーザ定義可能な印刷機能
Ｌ．ユーザ定義可能なアップロード
Ｍ．ユーザ定義可能なＬＩＭＳ接続
Ｎ．抽出及び温浸ソフトウェアモジュールへの接続能力
Ｏ．ＥＤＤジェネレータへの接続能力
Ｐ．制御出力のための中央貯蔵所としてのシステムの機能
【０１７８】
[[EISC Environmental Information Systems, Corporation]]
＜ＥＩＳＣの有機物分析検査及び報告システム：爆薬＞
ＥＩＳＣの爆薬用有機物分析検査及び報告システムのシステム特徴を以下に示します。
【０１７９】
特徴
Ａ．複数の報告フォーマット
・ＣＬＰ
・ＣＬＰ−Ｌｉｋｅ
・ＳＷ８４６
・ＡＦＣＥＥ
・ＩＬＣＯ３．０
・任意の種類のクライアント固有の報告
Ｂ．ＭＡＲＲＳにより生成する追加報告
・器具読取（生）結果報告
・分析実行ログ報告
・水の硬度についての特別臨時報告
・内部標準報告
・例外報告
Ｃ．ユーザ／自己定義報告リスト
Ｄ．ユーザ定義ＱＣ規準
Ｅ．ユーザ定義真値リスト
Ｆ．ユーザ定義計算ストリング
Ｇ．ユーザ定義学術有効数字及び桁数
Ｈ．クオリファイア及び検査メッセージによる検査プロセス自己定義能力
Ｉ．エクセル（Excel）及びワード（Word）のような種々のソフトウェアシステムへの電子的エクスポート
Ｊ．ユーザ定義可能な方法
Ｋ．ユーザ定義可能な印刷機能
Ｌ．ユーザ定義可能なアップロード
Ｍ．ユーザ定義可能なＬＩＭＳ接続
Ｎ．抽出及び温浸ソフトウェアモジュールへの接続能力
Ｏ．ＥＤＤジェネレータへの接続能力
Ｐ．制御出力のための中央貯蔵所としてのシステムの機能
【０１８０】
[[EISC Environmental Information Systems, Corporation]]
0003893108.tif 000009
【０１８１】
[[EISC Environmental Information Systems, Corporation]]
0003893108.tif 000010
【０１８２】
[[EISC Environmental Information Systems, Corporation]]
頭字語と略語のリスト
ＡＡ          原子吸収（Atomic Absorption）
ＡＢＳ        吸光度（Absorbance）
ＣＬＰ        契約実験プログラム（Contract Laboratory Program）
ＣＣＶ        継続較正照合（Continuing Calibration Verification）
ＣＣＢ        継続較正空試料（Continuing Calibration Blank）
ＥＰＡ        環境保護局（Environmental Protection Agency）
ＧＦＡＡ      黒鉛炉原子吸光（Graphite Furnace Atomic Absorption）
ＩＣＰ        誘導結合プラズマ（Inductively Coupled Plasma）
ＩＣＰ−ＭＳ  誘導結合高周波プラズマ−質量分光法（Inductively Coupled Plasma-mass spectroscopy）
ＩＣＶ        初期較正照合（Initial Calibration Verification）
ＩＣＢ        初期較正空試料（Initial Calibration Blank）
ＩＣＳ        干渉チェック標準（Interference Check Standard）
ＩＤＬ        器具検出限界値（Instrument Detection Limit）
ＩＤ          アイデンティフィケーション（Identification）
ＩＳ          内部標準（Internal Standard）
ＬＤＲ        線形動態域（Linear Dynamic Range）
ＬＣＳ        実験室対照標準試料（Laboratory Control Sample）
ＭＤＬ        方法検出限界値（Method Detection Limit）
ＭＳ          マトリックススパイク（添加物）（Matrix Spike）
ＭＳＤ        マトリックススパイク複製（Matrix Spike Duplicate）
ｐｐｂ        １０億分の１単位（parts per billion）
ｐｐｍ        １００万分の１単位（parts per million）
ＰＱＬ        実用定量限界（Practical Quantitation Limit）
ＱＡ          品質保証（Quality Assurance）
ＱＣ          品質対照標準（Quality Control）
Ｒ            回復（Recovery）
ＲＤＬ        報告検出限界値（Reporting Detection Limit）
ＲＰＤ        相対百分率差分（Relative Percent Difference）
ＳＤＧ        試料配送グループ（Sample Delivery Group）
ＳＯＷ        製品仕様書（Statement of Work）
ＳＴＬＣ      可溶限界閾値（Soluble Threshold Limit Concentration）
ＴＣＬＰ      有毒特性浸出処理（Toxicity Characteristic Leaching）
ＴＶ          真値（True Value）
【０１８３】
［ＭＡＲＲＳ自己実装（セルフインプリメント）仕様書］
【０１８４】
0003893108.tif 000011
【０１８５】
0003893108.tif 000012
【０１８６】
＜ＭＡＲＲＳセルフインプリメンタ仕様書＞
定義を要する項目
１  研究所名及び研究所名略称
２  一般情報
器具カテゴリ毎の器具の数
キーコード
報告モジュールの選択
マトリックスの選択
ディレクトリパスの入力
３  器具
器具情報入力
初期及び最終体積の入力
検体リストの編集
標準報告リストの入力
報告リストのコピー
標準ＱＣ規準リストの入力
ＱＣ規準リストのコピー
標準真値リストの入力
真値リストのコピー
４  追加器具情報
ＩＥＣの入力（ＩＣＰ用のみ）
試料ネーミング規則の編集
【０１８７】
重要な項目
セルフインプリメンタは、インストールされてユーザをストーリーブックの中で案内します。
クライアントのプロファイル（報告）を保存します
デフォルトのプロファイルを追加します
【０１８８】
自己実装へのステップ
１．ユーザが、セルフインプリメンタＣＤ及び、セルフインプリメンタと、異なるオプションつきのセルフインプリメンタ上の可能なＢｏｏｋと、組み込み済みの時間割り込み抑制と、及びインストールカウンタをインストールする説明書を、受領します。
【０１８９】
２．ユーザが、セルフインプリメンタをインストールします
【０１９０】
３．ユーザが、セルフインプリメンタを開始します
【０１９１】
４．質問グループ第１−報告書にあなたの研究所名をどのように表示し、どのような研究所コードを使用しますか？
【０１９２】
【表８】
0003893108.tif 000013
【０１９３】
５．質問グループ第２−一般情報−器具カテゴリごとに器具の数を入力してください？
【０１９４】
【表９】
0003893108.tif 000014
【０１９５】
６．質問グループ第２−ＣＤケース上に表示のキーコードを入力。これによって、クライアントが選択可能な報告モジュールの数、システムが機能しなくなる（支払いがあったときにシステムを今後機能停止しないように立ち上げるキーコードを送付します）、及び許可されたインストールの数を決定します。
【０１９６】
７．質問グループ第２−ＭＡＲＲＳ内に含める報告モジュールを選択。（２つは必須）
【０１９７】
【表１０】
0003893108.tif 000015
【０１９８】
８．質問グループ第３−ＭＡＲＲＳ内で実行するマトリックスを選択。
【０１９９】
【表１１】
0003893108.tif 000016
【０２００】
９．質問グループ第２−ファイルを保存ないし配置するディレクトリパスを入力
（器具ファイルのディレクトリパスは後で指定）
【０２０１】
【表１２】
0003893108.tif 000017
【０２０２】
１０．質問グループ第３−質問グループで選択した器具の数に基づき、この画面では次のようなグリッド形式の表示がされなければなりません。
【０２０３】
【表１３】
0003893108.tif 000018
【０２０４】
【表１４】
0003893108.tif 000019
【０２０５】
【表１５】
0003893108.tif 000020
【０２０６】
１１．質問グループ第３−ユーザが選択したマトリックスと器具に基づき、次のような内容のグリッドが表示されなければなりません：
【０２０７】
【表１６】
0003893108.tif 000021
【０２０８】
１２．質問グループ第３−器具との対応が正確に取れている必要のある器具−成分のユーザ選択から、基本検体リストを持ってきます。
【０２０９】
【表１７】
0003893108.tif 000022
【０２１０】
【表１８】
0003893108.tif 000023
【０２１１】
１３．質問グループ第４−標準報告リストを作成するために、次の情報を入力してください。このリストの作成直後に、他の報告リストの作成のためにこのリストをコピーするかを質問されます。前記質問からの要素はこのリストのために使用されます。
報告リストの名称を入力してください：
次のリスト中にＲＤＬ値及び他の関連情報を入力してください：
次の情報を、分割画面グリッドで提示。
【０２１２】
【表１９】
0003893108.tif 000024
【０２１３】
【表２０】
0003893108.tif 000025
【０２１４】
１４．質問グループ第４−さらに報告リストを作成しますか。標準報告リストのときの要領で、報告リストのコピーまたは作成が可能です。
【０２１５】
１５．質問グループ第４−標準ＱＣ規準リストを作成するために次の情報を入力してください。このリストの作成直後に別のＱＣ規準リストを作成するためにこのリストをコピーするかを質問されます。
ＱＣ規準リストに対する名称を入力してください：
次のリスト中に、ＱＣ規準値を入力してください：
次の情報を、分割画面グリッドで提示。
【０２１６】
【表２１】
0003893108.tif 000026
【０２１７】
【表２２】
0003893108.tif 000027
【０２１８】
【表２３】
0003893108.tif 000028
【０２１９】
【表２４】
0003893108.tif 000029
【０２２０】
１５．質問グループ第４−さらにＱＣ規準リストを作成しますか。標準ＱＣ規準リストのときの要領で、ＱＣ規準リストのコピーまたは作成が可能です。
【０２２１】
１６．質問グループ第４−標準真値リストを作成するために次の情報を入力してください。このリストの作成直後に、別の真値リストを作成するためにこのリストをコピーするかを質問されます。

真値リストに対する名称を入力してください：
リストのＩＤＬ日を入力してください：
リストのＬＤＲ日を入力してください。：
リストのＩＣＡＬソースを入力してください：
リストのＣＣＡＬソースを入力してください：
リストのＩＣＳソースを入力してください：
リストのＣＲＤＬソースを入力してください：
リストのＬＣＳ固体ソースを入力してください：
リストのＬＣＳ液体ソースを入力してください：
次のリストに真値の値を入力してください：
次の情報を、分割画面グリッドで表示。
【０２２２】
【表２５】
0003893108.tif 000030
【０２２３】
【表２６】
0003893108.tif 000031
【０２２４】
１６．質問グループ第４−さらに真値リストを作成しますか。標準真値リストのときの要領で、真値リストのコピーまたは作成が可能です。
【０２２５】
１７．質問グループ第４−ＩＥＣデータを入力し、ＩＥＣテーブルの一番上の欄に記入する成分を選択してください。
ＩＥＣの行に検体を表示させたい場合には、波長を入力してください。詳細は添付書類をご参照ください。
【０２２６】
１８．質問グループ第４−特定のＱＣタイプに変換する器具からの試料のネーミング規則のデフォルトのリストを以下に示す。適宜文字列を変更してください。
【０２２７】
【表２７】
0003893108.tif 000032
【０２２８】
各器具毎にグループ３及び４を繰り返す。
ユーザ質問セットアップから外れているが、テーブルの生成中にセットされる項目を以下に示す：
追加臨時実験報告書
有効数字のリスト（Sig Fig Lists）
他のフラグ規準
【０２２９】
次週に仕様書を書くことによって指定される項目を次に示します：
システムスイッチ
アップロード
ＬＩＭＳ接続（予備）
ＬＩＭＳ接続（マニュアル）
【０２３０】
0003893108.tif 000033
【０２３１】
0003893108.tif 000034
【０２３２】
[[EISC Environmental Information Systems, Corporation]]
＜金属分析検査及び報告システム−操作手順  Version 4.0＞
［分析結果アップロード及び検査］
【０２３３】
0003893108.tif 000035
【０２３４】
［Analytical Method list］（分析方法リスト）から、方法を選択します。次に、［Analytical］（分析）、それから［Result Upload and Review］（結果アップロード及び検査）をクリックします。［Manual Entry and Review］（マニュアル入力及び検査）のみが表示されている場合は、アップロードファイルが利用可能でないか、このシステムのために設定されていない方法を選択しています。［Result Upload and Review］（結果アップロード及び検査）をクリックすると、［Select Instrument Files］（器具ファイル選択）、［Begin Upload］（アップロード開始）、［Associate Lists］（リスト関連付け）、［Process Results］（結果処理）、及び［Review Results］（結果検査）の５つのフォルダが提示されます。これらの５つのフォルダは、本システムの、［Analytical Result Upload and Review］（分析結果アップロード及び検査）部を構成しています。ファイルをアップロードし、適切なＱＣ及び報告リストを割り当て、処理して、結果を検査するのは、この分析結果アップロード及び検査部です。
【０２３５】
0003893108.tif 000036
【０２３６】
１．分析実行処理及び／又はＳＤＧを構築するために行うプロセスは左から右に流れ、［Select Instrument Files］（器具ファイル選択）フォルダから開始します。この画面から、ネットワーク中のフォルダが配置されているパス（デフォルトのパスは、個々の器具毎に設定される）を選択し、すぐ右側の欄から器具ファイルを選択します。ｓｈｉｆｔキー（キーボード）を使って、連続する複数ファイルを選択することも、Ｃｔｒｌキーを押しながら個別に選択することもできます。アップロードするファイルを選択したら、「→」をクリックし、［Selected Instrument(s)］（器具選択）欄に移行します。「←」をクリックすることにより、ファイル選択解除することができます。
【０２３７】
0003893108.tif 000037
【０２３８】
２．器具ファイルを選択すると、［Begin Upload］（アップロード開始）フォルダに進みます。次に、画面の下部に位置する［Begin Upload］（アップロード開始）ボタンをクリックし、器具ファイルをアップロードされるのが見てとれます。このフォルダには他に［Print Raw Results Report］（生の結果報告）［Print Runlog Report］（実行ログ報告印刷）という２つのオプションがあります。生の結果報告とは、器具ファイルからアップロードされたデータとしての、試料ＩＤ、パラメタ、結果、分析日及び時間、希釈係数及びデータファイルの抄録です。実行ログ報告とは、ファイル中に分析順に格納された試料に、分析日／時間、希釈係数、マトリックス、データファイル及びバッチ番号を付記したリストです。これは、印刷出力及び／又は画面上で検査が可能であり、手書きの実行ログに代わりしばしば使用されます。
【０２３９】
0003893108.tif 000038
【０２４０】
３．ファイルをアップロードし、必要な報告を印刷したら、次に［Associate Lists］（リスト関連付け）フォルダに進みます。ここで、報告リスト、ＱＣ規準リスト、真値リスト、検査及びクオリファイアリスト、計算プロセスリスト、有効数字／桁数リスト及び印刷セットアップリストであって、処理した試料と関連付けたいものを選択します。リスト関連付けを始める前に、フォルダを参照してみましょう。フォルダの中には、試料ＩＤ（Sample ID）、クライアントＩＤ（Client ID）、分析日（Ana data）、時間（Time）、マトリックス（Matrix）、初期値（Initial）、最終値（Final）、固体％（% Solid）、Ｚ−フラグ（Z-flag）及び現在試料に関連付けられているデフォルトリストのヘッダを有する欄が見えます。画面の下部には、［Reporting List］（報告リスト）、［QC Criteria List］（ＱＣ規準リスト）及び［True Value List］（真値リスト）のヘッダを有する３つのウィンドウが見えます。
【０２４１】
現在のリストのいずれかを変更するためには、マウスでそれをハイライトして、下のＲｅｓｅｔボタンをクリックしてください。欄に変更が反映します。（各リストにどのようなフィールドがあるか見るには、１４頁から始まるリストの詳細Lists Detailsを参照）
【０２４２】
これらのリストの編集、新規作成、試料レベルでのリストの割り当てを行うためには、このフォルダの下部左側の角にある適当なリストをクリックしてください。既存のリストを編集するためには、左側のウィンドウの選択したリストをハイライトしてから、必要な調整を行います（すべての編集は恒久的なものであることに留意ください）。新規リスト作成のためには、単純に、［Add New List Set］（新規リストセット追加）をクリックし、名称を入力し、既存リストの中からコピーするものを選択し、［Copy List］（リストコピー）をクリックして、［Return to List Review］（リスト検査に戻る）をクリックします。該当するリストを編集する前にハイライトして、変更しようとしているのが正しいリストであることを忘れずに確認してください。試料レベルでリストを選択するためには、単純に、［Select List at a Sample Level］（試料レベルでリスト選択）をクリックし、リストを選択し、該当する試料をハイライトして、［Set List］（リストをセット）をクリックします。完了したら、前の画面に戻って、再びメインフォルダに戻ります。
【０２４３】
［Associate Lists］（リスト関連付け）フォルダにいる間に、マトリックスの選択、試料のＺｏｕｔ、実行用試料選択／解除、初期重量／最終体積の設定、バッチ試料、クライアントの情報取得、丸めタイプの選択（ＣＬＰ奇数／偶数または数理数）、及び報告下限値（ＭＤＬ／ＩＤＬ）の選択も可能です。
【０２４４】
４．自分で選択したリストに満足であれば、［Process Results］（結果処理）フォルダに進みます。［Process Results］（結果処理）をクリックすることによって、選択したリストを初期アップロード済みの器具ファイルに適用するためにシステムをスタートさせます。［Build Review Tables］（検査テーブル構築）では、フォームを検査するために必要なテーブルを構築します。
【０２４５】
0003893108.tif 000039
【０２４６】
５．結果の処理が無事に終了したら、［Review Results］（結果検査）フォルダの結果を検査することになります。ここでは、分析実行処理を報告部のファイルに保存する前に予備検査を行うことができます。すべての結果を検査することもできます。ＱＣ試料を検査するよう選択すると、関連試料情報があらわれます。しかし、変更を行ったら、忘れずに下部右手角にある［Re-Calc］（再計算）ボタンをクリックして変更を反映させてください。
【０２４７】
結果が満足のいくものであったら、［Save Analytical Run］（分析実行処理保存）をクリックすることで分析実行処理へ処理したファイルを保存することができます。ひとつ重要な事項として留意いただきたいのは、フォルダ右から左へ進むからといって誤りがあっても戻れないということを意味するわけではないということです。もっとも、実際に戻った場合にはもう一度適切なステップを繰り返して行った変更が反映されているか確かめなければなりません。
【０２４８】
分析検査報告は、このフォルダから印刷可能です。この報告には、試料ＩＤ、パラメタ、希釈係数、合否（PASS/FAIL）、生の結果、マトリックス、回復、ＱＣ規準、ＲＰＤ、分析データ、単位、初期及び最終体積を含みます。
【０２４９】
0003893108.tif 000040
【０２５０】
［マニュアル入力及び検査］
【０２５１】
0003893108.tif 000041
【０２５２】
器具のアップロード用に設定されているわけではない［Analytical Method List］（分析方法リスト）から方法を選択する際に、「マニュアル入力及び検査部」を通じてＳＤＧを作成する必要があります。このプロセスを実行するためには、方法を選択し、［Analytical］（分析）をクリックしてから、［Manual Entry and Review］（マニュアル入力及び検査）をクリックします。「分析結果アップロード及び検査部」の場合と同様、このセクションも、［Build Analytical Run］（分析実行処理構築）、［Enter Concentrations］（濃度入力）、［Associate Lists］（リスト関連付け）、［Process Results］（結果の処理）、及び［Review Results］（結果の検査）の５つのフォルダからなっています。
【０２５３】
0003893108.tif 000042
【０２５４】
１．最初のフォルダである［Build Analytical Run］（分析実行処理構築）では、ＬＩＭＳから必要な資料を検索し、適当な情報を入力して、試料を分析する順序で分析実行処理を構築します。分析する試料を時間または処理順のどちらでリストアップするか、処理における試料の総数、日付、開始時間、試料間の時間間隔（秒で）、演算子初期値、及び処理番号を選択します。そして、ＱＣタイプ及び試料ＩＤをクリックすることによって処理構築が可能となります。処理を構築したら、［Commit Run for Entry］（登録処理実行）をクリックします。
【０２５５】
２．次のフォルダである［Enter Concentrations］（濃度入力）では、各試料の濃度を登録します。選択された画面上で必要なデータを入力したら、［Loading Manual Entry］（マニュアル登録ロード）をクリックして結果をロードします。
【０２５６】
0003893108.tif 000043
【０２５７】
３．結果のロードが成功したら、［Associate Lists］（リスト関連付け）フォルダに進みます。以降の３つのフォルダは、結果のロード時と同様の機能を有するものです。ここでは、処理される試料と関連付けようとする、報告リスト、ＱＣ規準リスト、真値リスト、報告及びクオリファイアリスト、計算プロセスリスト、有効数字／桁数リスト、及び印刷セットアップリストを選択します。リストの関連付けを始める前に、フォルダを見てみましょう。フォルダ中には、「試料ＩＤ」「クライアントＩＤ」「分析データ」「時間」「希釈」「マトリックス」「初期」「最終」「％固体」「Ｚフラグ」といったヘッダのついた欄及び現在試料と関連付けようとしているデフォルトのリストが見えます。画面の下部には、［Reporting List］（報告リスト）［QC Criteria List］（ＱＣ規準リスト）及び［True Value List］（真値リスト）というヘッダのついた３つのウィンドウが見えます。現在のリストのうちどれかを変更するためには、マウスでそれをハイライトして下のＲｅｓｅｔボタンをクリックします。欄は、変更を反映するようになります。
【０２５８】
0003893108.tif 000044
【０２５９】
このリストの編集、新規作成、試料レベルでのリストの割り当てを行うためには、このフォルダの下部左側の角にある適当なリストをクリックしてください。既存のリストを編集するためには、左側のウィンドウの選択したリストをハイライトしてから、必要な調整を行います（すべての編集は恒久的なものであることに留意ください）。新規リスト作成のためには、単純に、［Add New List Set］（新規リストセット追加）をクリックし、名称を入力し、既存リストの中からコピーするものを選択し、［Copy List］（リストをコピー）をクリックして、［Return to List Review］（リスト検査に戻る）をクリックします。該当するリストを編集する前にハイライトして、変更しようとしているのが正しいリストであることを忘れずに確認してください。試料レベルでリストを選択するためには、単純に、［Select List at a Sample Level］（試料レベルでリストを選択）をクリックし、リストを選択し、該当する試料をハイライトして、［Set List］（リストをセット）をクリックします。完了したら、前の画面に戻って、再びメインフォルダに戻ります。
【０２６０】
［Associate Lists］（リスト関連付け）フォルダにいる間に、「マトリックスの選択」、「試料のＺｏｕｔ」、「実行用試料選択／解除」、「初期重量／最終体積の設定」、「バッチ試料」、「クライアントの情報取得」、「丸めタイプの選択（ＣＬＰ奇数／偶数または数理数）」、及び「報告下限値（ＭＤＬ／ＩＤＬ）」の選択も可能です。
【０２６１】
0003893108.tif 000045
【０２６２】
４．自分で選択したリストに満足であれば、［Process Results］（結果処理）フォルダに進みます。［Process Results］（結果処理）をクリックすることによって、選択したリストを以前にアップロード済みの器具ファイルに適用するためにシステムをスタートさせます。［Build Review Tables］（検査テーブル構築）では、フォームを検査するために必要なテーブルを構築します。
【０２６３】
0003893108.tif 000046
【０２６４】
５．結果の処理が無事に終了したら、［Review Results］（結果検査）フォルダの結果を検査することになります。ここでは、分析実行処理を報告部のファイルに保存する前に予備検査を行うことができます。すべての結果を検査することもできます。「ＱＣ試料」を検査するよう選択すると、関連試料情報があらわれます。しかし、変更を行ったら、忘れずに下部右手角にある［Re-Calc］（再計算）ボタンをクリックして変更を反映させてください。
【０２６５】
［報告部］
報告部は、分析結果アップロード及び検査部内及びマニュアル登録及び検査部中の画面上部に配置された［Go to reporting］（報告へ）ボタンをクリックすることによってアクセスすることができます。分析部での場合と同様、再び、［Prep Information］（予備情報）、［Select/De-Select Elements］（成分の選択／解除）、［Edit Results］（結果編集）、［Report(s)］（報告）及び［Exception Reports］（例外報告）の５つのフォルダが提示されます。
【０２６６】
0003893108.tif 000047
【０２６７】
１．報告プロセスの最初のフォルダは、［Prep Information］（予備情報）フォルダです。このフォルダ中で次のタスクが実行可能です（ボタンの表記は［］内に表示）：
・ＬＩＭＳシステムから「クライアント情報［Client Info］」を検索する。
・「マトリックス［Matrices］」を調整する。
・「収集日［Date Coll］」及び／又は「受領日［Date Rec］」をセットする。
・試料を「バッチ［Batching］」処理する。
・「ＱＣタイプ［QC Types］」を調整する。
・（分析）「実行番号［Run Numbers］」をセットする。
・報告されていない試料に「Ｚ−フラグ［Z-Flag］」を立てる。
・「分析日［Date Ana］」をセットする
・試料を「選択／選択解除［Select-De-Select］」する
・「ＩＣＶ、ＩＣＢ、ＣＣＶ及びＣＣＢを再配列［Re-Sequence ICV’s, ICB’s, CCV’s and CCB’s］」する
【０２６８】
上記パラメタはすべて同じ方法でセットされます。ボタンをクリックし、セットするパラメタを選択し、関連付けられた試料をハイライトさせて、セットし、リターンします。繰り返しになりますが、変更したときはいつでも、その変更が確実に最終結果に適用されるように、「再処理／再計算［Re-Process/Re-calc］」ボタンをクリックすることが重要です。
【０２６９】
0003893108.tif 000048
【０２７０】
２．次のフォルダは「Select/De-Select Elem」（成分の選択／解除）です。検体はここで、試料レベルで選択及び選択解除がなされます。個々の分析ごとに複数の検体が報告されているＩＣＰがよい例です。希釈やその他の品質対照事項によっては、すべての検体を同じ分析から報告しなくてもよい。この画面によって、どの検体をどの分析から報告するかを選択することができるようになります。
【０２７１】
0003893108.tif 000049
【０２７２】
３．すべての試料及びＱＣが適切に関連付けられていることに満足したら、結果編集フォルダに移ることができます。ここでは、選択するフォーム上で報告されることになる結果を十分検査することができます。パラメタリスト、希釈係数、収集及び受領の日付  ＩＤＬ、ＲＤＬ、％Ｒ及びＲＰＤは、このフォルダ内で必要に応じ検査・編集が可能なデータのほんの一部です。全体変更（全試料に適用される変更）を行うためには、処理調整をクリックし、次のパラメタのひとつないし全部について変更を行います：
IDL Values MDL Values RDL Values
Instrument Units Report Units
Unit Conversion TCLP Reg Limits
Sig Figs and Sig Digits Main Parameter
Report Method LDR, Lid Method and Instrument
【０２７３】
0003893108.tif 000050
【０２７４】
繰り返しになりますが、［Re-Calc and Rebuild Review Tables］（再計算及び検査テーブル再構築）をクリックして、実施した調整事項が最終結果に反映されることを確認してください。
【０２７５】
0003893108.tif 000051
【０２７６】
４．すべての結果とパラメタを検査して、結果が良好であれば、［Report(s)］（報告）フォルダに移ることができます。必要なフォームを印刷し、ＳＤＧを保存する前に、次をご確認ください：
・報告書のヘッダ−ＳＤＧ番号、クライアント名、契約／プロジェクト、研究所コード、事案番号、ＳＡＳ番号、方法、ＳＯＷ番号、レベル、報告書ヘッダ、報告書フッタ、及びＳＤＧコメントを入力します。報告上限下限値及びフォーム８、１３、１４上にクライアントＩＤ又は研究所ＩＤの報告が必要かどうかを選択します。
・Ｚ−ｏｕｔする試料の選択−フォーム１の処理を望まず、処理ログ上でＺ−ｏｕｔされる（Ｚ印をつける）ことを望むＳＤＧに関連付けされない試料を選択します。
・処理試料の選択−報告する試料及びＱＣを選択します。
・試料コメント−試料レベルでなされるコメントで、適当なフォーム１上に表示されます。
・色、清澄性及びテクスチャ−適当なフォーム１上に表示されます。
・ＭＳＡまたはＩＥＣの編集
・ソースの検査−フォーム２ａ、４及び７用
・パラメタのＳＤＧレベルでの更新
・直接フォーム編集
【０２７７】
0003893108.tif 000052
【０２７８】
適当なモジュールをクリックし、必要なフォームを選択し、画面上の印刷又は検査を選択することによって、選択したフォームを印刷及び／又は検査の用意ができました：
・新規ＳＤＧに保存
・既存ＳＤＧに追加
【０２７９】
0003893108.tif 000053
【０２８０】
最後のフォルダは、［Exception Reports］（例外報告）です。ここでは、次の情報を含むＳＤＧ固有の例外報告を印刷することができます：「試料ＩＤ」、「クライアントＩＤ」、「例外タイプ」、「パラメタ」、「ＱＣタイプ」、「結果」、「回復」、「ＲＰＤ」、「下限値」、「上限値」及び「ＲＰＤ限界値」。
【０２８１】
0003893108.tif 000054
【０２８２】
[[EISC Environmental Information Systems, Corporation]]
［ＭａｒｒｓＱＣタイプ］
SAM：  試料  Sample
MBW：  方法空試料水  Method Blank Water
MS：  方法空試料土  Method BLANK Soil
LCSW：  実験対照標準試料水  Laboratory Control Sample Water
LCSWD：  実験対照標準水複製  Laboratory Control Sample Water Duplicate
LCSS：  実験対照標準試料土  Laboratory Control Sample Solid
LCSSD：  実験対照標準試料固体複製  LABORATORY Control Sample Solid Duplicate
MS：  マトリックススパイク  Matrix Spike
MSD：  マトリックススパイク複製  Matrix Spike Duplicate
DUP：  試料複製  Sample Duplicate
SD：  連続希釈  Serial Dilution
AS：  後温浸スパイク  Post Digestion Spike
ASD：  後温浸スパイク複製  Post Digestion Spike Duplicate
BS：  空試料スパイク  Blank Spike
BSD：  空試料スパイク複製  Blank Spike Duplicate
FB：  強化空試料  Fortified Blank
DSH：  実験対照標準試料High Laboratory Control Sample High
DSL：  実験対照標準試料Low Laboratory Control Sample Low 
【０２８３】
［器具ＱＣタイプ］
CAL：  較正標準  Calibration Standard
ICV：  初期較正照合  Initial Calibration Verification
ICB：  初期較正空試料  Initial Calibration Blank
CCV：  継続較正照合  Continuing Calibration Verification
CCB：  継続較正空試料  Continuing Calibration Blank
CRDL：  ＣＲＩ／ＣＲＡ試料  CRI/CRA Sample
ICSA：  ＩＣＰチェック標準Ａ  ICP Check Standard A
ICSAB：  ＩＣＰチェック標準ＡＢ  ICP Check Standard AB
LRA：  線形域標準  Linear Range Standard
LDS：  低温浸標準  Low Digestion Standard
MDS：  中間温浸標準  Mid Digestion Standard
HDS：  高温浸標準  High Digestion Standard
PQL LOW：  ＰＱＬ  Ｌｏｗ
【０２８４】
[[EISC Environmental Information Systems, Corporation]]
［リストの細目］
リスト関連付けフォルダ中の各リストにあるフィールドのリストを以下に示す。
【０２８５】
報告リスト
1. Sequence 連続番号
2. Cas Number Ｃａｓ番号
3. Parameter パラメタ
4. Parameter Type パラメタタイプ
5. RDL(W)-  水の報告検出限界値
6. RDL(S)-  固体の報告検出限界値
7. Report? 報告？(Yes/No)
8. Parameter Initials パラメタの頭文字(Element Symbol)
9. Report Method 報告方法
10. Report Parameter 報告パラメタ(Element Name)
11. Wavelength 波長
12. Background バックグラウンド（フォーム１０用のＡＡ及びＨＧ）
13. TCLP Regulatory Limits ＴＣＬＰ規制限界値
14. STLC Regulatory Limits ＳＴＬＣ規制限界値
15. Instrument units(W)-  水用の器具単位
16. Instrument units(S)-  固体用の器具単位
17. Main Parameter メインパラメタ
【０２８６】
ＱＣ規準リスト
1. Sequence 連続番号
2. Parameter パラメタ
3. IDL-Instrument Detection Limit  器具検出限界値
4. MDL(W)-  水用の方法検出限界値
5. MDL(S)-  固体用の方法検出限界値
6. LCSW Low   ＬＣＳＷ  下限値
7. LCSW High   ＬＣＳＷ上限値
8. LCSS Low （単位：mg/kg）
9. LCSS High （単位：mg/kg）
10. MS Low(W)  ＭＳ下限値（水）
11. MS High(W)  ＭＳ上限値（水）
12. MS Low(S)  ＭＳ下限値（固体）
13. MS High(S)  ＭＳ上限値（固体）
14. PDMS Low  ＰＤＭＳ下限値（後温浸スパイク）
15. PDMS High  ＰＤＭＳ上限値
16. LCSWD RPD
17. LCSSD RPD
18. MSD RPD(W)
19. MSD RPD(S)
20. DUP RPD(W)
21. DUP RPD(S)
22. Serial Dilution Criteria 連続希釈規準
23. PSMSD RPD
24. ICV Criteria  ＩＣＶ規準
25. CCV Criteria  ＣＣＶ規準
26. CRECE Criteria  ＣＲＥＣＥ規準
27. ICSA Criteria  ＩＣＳＡ規準
28. ICSAB Criteria  ＩＣＳＡＢ規準
29. PQL Low Criteria  ＰＱＬ  Ｌｏｗ規準
30. I Std. Low  器具標準下限値
31. I Std. High  器具標準上限値
32. Blank Spike Low  空試料スパイク下限値
33. Blank Spike High  空試料スパイク上限値
34. Blank Spike RPD  空試料スパイクＲＰＤ
35. LDS Criteria  ＬＤＳ規準
36. MDS Criteria  ＭＤＳ規準
37. HDS Criteria  ＭＤＳ規準
38. Fortified Blank Criteria  強化空試料規準
39. LDR Criteria  ＬＤＲ規準
40. Cal V Criteria  Ｃａｌ  Ｖ規準
41. LCSL Low Criteria  ＬＣＳＬ下限規準
42. LCSL High Criteria  ＬＣＳＬ上限基準
43. LCSH Low Criteria  ＬＣＳＨ下限規準
44. LCSH High Criteria  ＬＣＳＨ上限規準
45. ICB Multiplier Type  ＩＣＢ乗算器タイプ
46. ICB Multiplier  ＩＣＢ乗算器
47. CCB Multiplier Type  ＣＣＢ乗算器タイプ
48. CCB Multiplier  ＣＣＢ乗算器
49. SD Multiplier Type  ＳＤ乗算器タイプ (EX: X IDL)
50. SD Multiplier  ＳＤ乗算器(EX : 50) 
【０２８７】
[[EISC Environmental Information Systems, Corporation]]
真値リスト−器具毎の標準ソースを入力及び／又は編集する
1. Sequence  連続番号
2. Parameter  パラメタ
3. LCSW
4. LCSS
5. MS (W)
6. MS (S)
7. PDMS
8. CRI/CRA
9. ICSA
10. ICSAB
11. PQL LOW  ＰＱＬ下限値
12. LRA TrueValue  ＬＲＡ真値
13. Blank Spike  空試料スパイク
14. LDR
15. Integration Time  積算時間
16. High Standard  上限標準値
17. LCSL
18. LCSH
19. LDS
20. MDS
21. HDS
22. ICV
23. CCV
24. Cal V
25. Fortified Blank  強化空試料
【０２８８】
検査及びクオリファイアリスト
【０２８９】
0003893108.tif 000055
【０２９０】
1. Review Name  検査名
2. All Samples 全試料(Yes/No)
3. QC Type  ＱＣタイプ
4. Parameter Type  パラメタタイプ
5. Sample Qualifier  試料クオリファイア
6. Global Qualifier  グローバルクオリファイア
7. Review Message  （例外報告上に表れる）
8. Review Group  検査グループ
9. Review Type  検査タイプ（試料レベル）
【０２９１】
[[EISC Environmental Information Systems, Corporation]]
計算プロセスリスト 
【０２９２】
0003893108.tif 000056
【０２９３】
1. Calculation Name  計算名
2. All Samples  全試料(Yes/No)
3. QC Type  ＱＣタイプ
4. Parameter Type  パラメタタイプ
5. Calc Group  計算グループ
6. Calc List Name  計算リスト
7. Calc Type  計算タイプ（試料レベル）
【０２９４】
有効数字／有効桁数リスト
1. Sequence  連続番号
2. Parameter  パラメタ
3. Form 1 sig fig >= 100（フォーム１で結果の有効数字が１００以上）
4. Form 1 sig dig >= 100（フォーム１で結果の有効桁数が１００以上）
5. Form 1 sig fig >= 10
6. Form 1 sig dig >= 10
7. Form 1 sig fig <= 1
8. Form 1 sig dig >= 1
9. Form 1 sig figs >= 0
10. Form 1 sig dig >= 0
11. Form 2a  真値の有効桁数
12. Form 2a sig figs Found Value
13. Form 2a sig dig Found Value
14. Form 2a sig dig Recovery
15. Form 2b  真値の有効桁数
16. Form 2b sig figs Found Value
17. Form 2b sig dig Found Value
18. Form 2b sig dig Recovery
19. Form 3a sig fig ICB/CCB
20. Form 3a sig dig ICB/CCB
21. Form 3a sig fig PB
22. Form 3a sig dig PB 
【０２９５】
[[EISC Environmental Information Systems, Corporation]]
有効数字／有効桁数リスト（続き）
23. Form 4 sig dig True Value
24. Form 4 sig fig ICSA 
25. Form 4 sig dig ICSA
26. Form 4 sig fig ICSAB
27. Form 4 sig dig ICSAB
28. Form 4 sig dig Recoveries
29. Form 5a sig fig Result
30. Form 5a sig dig Result
31. Form 5a sig dig Spike
32. Form 5a sig dig Recovery
33. Form 5b sig fig Result
34. Form 5b sig dig Result
35. Form 5b sig dig Spike
36. Form 5b sig dig Recovery
37. Form 6 sig fig Result
38. Form 6 sig dig Result
39. Form 6 sig dig RPD
40. Form 7 sig dig True Value
41. Form 7 sig fig Found Value
42. Form 7 sig dig Found Value
43. Form 7 sig dig Recovery
44. Form 9 sig fig Result
45. Form 9 sig dig Result
46. Form 9 sig dig Percent D
47. Form 10 sig dig High Limit
48. Form 10 sig dig Low Limit 
【０２９６】
印刷セットアップリスト
1. Form 1をPQLへ（非検出結果をＰＱＬに報告−Ｕフラグを立て、報告制限とＰＱＬ間のTrace Values“Ｂ”を報告する）
2. Form 3をPQLへ
3. Form 5aをPQLへ
4. Form 5bをPQLへ
5. Form 6をPQLへ
6. Form 7をPQLへ
7. Form 9をPQLへ
8. ％固体定式化の有効桁数
9. Form 1 No B（Ｕフラグの立っているＰＱＬより低い全結果を報告−Trace Valuesなし）
10. Form 3 No B 
【０２９７】
【図面の簡単な説明】
【図１】  本発明に係るコンピュータに実装された分析および報告システムの一例を示す模式図である。
【図２】  本発明の一例としての方法を示すフローチャートである。
【図３】  本発明の方法の他の例を示すフローチャートである。
【図４】  本発明の方法の他の例を示すフローチャートである。
【図１】
0003893108.tif 000057
【図２】
0003893108.tif 000058
【図３】
0003893108.tif 000059
【図４】
0003893108.tif 000060